(57)【要約】      （修正有）【課題】腎損傷および腎不全の診断および予後診断のための方法ならびに組成物を提供する。【解決手段】ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１つ以上のバイオマーカーを検出する。【選択図】なし【特許請求の範囲】
【請求項１】
アッセイ結果を提供するために、対象から取得した体液試料において、１種類以上のバイオマーカーを検出するように構成された１つ以上のアッセイ法を行うこと、かつ前記アッセイ結果（複数可）と前記対象の腎臓の状態とを相関させることを含み、前記相関ステップが、前記アッセイ結果（複数可）に基づいて、腎臓の状態の将来的な変化の可能性を前記対象に割り当てることを含み、
前記腎臓の状態における将来的な変化が、将来的な急性腎不全（ＡＲＦ）を含み、前記腎臓の状態における将来的な変化の可能性が、前記体液試料を前記対象から取得する時点からおよそ２４時間以内に所望の事象が生じるということであり、
前記１種類以上のバイオマーカーが、フォリスタチン、ベータ−神経成長因子、インターロイキン−１７Ａ、卵胞刺激ホルモンβサブユニット、コラゲナーゼ３、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファのうち１種類以上を含む、前記対象の腎臓の状態を評価する方法。
【請求項２】
前記相関ステップが、
（ａ）前記アッセイ結果（複数可）に基づいて、腎機能への損傷、腎機能の低下、もしくはＡＲＦの１つ以上の発生または不発生の診断を前記対象に割り当てること、
（ｂ）前記アッセイ結果（複数可）に基づいて、腎機能への損傷、腎機能の低下、もしくはＡＲＦを患っている対象において腎機能が改善しているか、または悪化しているか否かを評価すること、または、
（ｃ）２４時間以内に前記対象は、（ｉ）１．５倍以上の血清クレアチニンの増加を経験するか、（ｉｉ）尿排出量が６時間にわたって０．５ｍｌ／ｋｇ／時未満であるか、または（ｉｉｉ）０．３ｍｇ／ｄＬ以上の血清クレアチニンの増加を経験する、という可能性のうちの１つ以上を割り当てること、または、
（ｄ）２４時間以内に前記対象は、（ｉ）２倍以上の血清クレアチニンの増加を経験するか、（ｉｉ）尿排出量が１２時間にわたって０．５ｍｌ／ｋｇ／時未満であるか、または（ｉｉｉ）０．３ｍｇ／ｄＬ以上の血清クレアチニンの増加を経験する、という可能性のうちの１つ以上を割り当てること、または、
（ｅ）２４時間以内に前記対象は、（ｉ）３倍以上の血清クレアチニンの増加を経験するか、または（ｉｉ）尿排出量が２４時間にわたって０．３ｍｌ／ｋｇ／時未満であるか、もしくは１２時間にわたって無尿である、という可能性のうちの１つ以上を割り当てること、を含む請求項１に記載の方法。
【請求項３】
前記アッセイ結果が、
フォリスタチンの測定尿中濃度もしくは血漿濃度、
ベータ−神経成長因子の測定尿中濃度もしくは血漿濃度、
インターロイキン−１７Ａの測定尿中濃度もしくは血漿濃度、
卵胞刺激ホルモンβサブユニットの測定尿中濃度もしくは血漿濃度、
コラゲナーゼ３の測定尿中濃度もしくは血漿濃度、
ビタミンＤ結合タンパク質の測定尿中濃度もしくは血漿濃度、
膵島アミロイドポリペプチドの測定尿中濃度もしくは血漿濃度、
インスリンＣペプチドの測定尿中濃度もしくは血漿濃度、
補体Ｈ因子の測定尿中濃度もしくは血漿濃度、
胃抑制ポリペプチドの測定尿中濃度もしくは血漿濃度、
グルカゴン様ペプチド１の測定尿中濃度もしくは血漿濃度、
グルカゴンの測定尿中濃度もしくは血漿濃度、
インボルクリンの測定尿中濃度もしくは血漿濃度、
II型細胞骨格ケラチン‐１／１０の測定尿中濃度もしくは血漿濃度、
II型細胞骨格ケラチン‐６Ａ／６Ｂ／６Ｃの測定尿中濃度もしくは血漿濃度、
オステオカルシンの測定尿中濃度もしくは血漿濃度、
リポ多糖の測定尿中濃度もしくは血漿濃度、
脾臓ポリペプチドの測定尿中濃度もしくは血漿濃度、
ペプチドＹＹの測定尿中濃度もしくは血漿濃度、
アグーチ関連タンパク質の測定尿中濃度もしくは血漿濃度、
毛様体神経栄養因子の測定尿中濃度もしくは血漿濃度、
食欲調節ホルモンの測定尿中濃度もしくは血漿濃度、
トランスサイレチンの測定尿中濃度もしくは血漿濃度、
インスリン受容体基質−１の測定尿中濃度もしくは血漿濃度、および
ＮＦ−ｋＢ阻害剤アルファの測定尿中濃度もしくは血漿濃度、
のうちの少なくとも２、３、または４を含む、請求項１または２に記載の方法。
【請求項４】
複数のアッセイ結果が、前記複数のアッセイ結果を単一複合値の結果に変換する機能を用いて組み合わされる、請求項１〜３のいずれか１項に記載の方法。
【請求項５】
前記腎臓の状態における将来的な変化が、前記対象が患う腎損傷と関連する臨床予後を含む、請求項１に記載の方法。
【請求項６】
（ｉ）腎前性、腎内性、または腎後性のＡＲＦに対する１つ以上の既知のリスクファクターが前記対象において以前から存在すること、または、
（ｉｉ）鬱血性心不全、子癇前症、子癇、真性糖尿病、高血圧、冠動脈疾患、タンパク尿、腎不全、正常範囲を下回る糸球体濾過、肝硬変、正常範囲を上回る血清クレアチニン、敗血症、腎機能への損傷、腎機能の低下、もしくはＡＲＦのうちの１つ以上の現在の診断に基づいて、または大規模な血管手術、冠動脈バイパス、もしくは他の心臓手術を経験するもしくは経験したことに基づいて、またはＮＳＡＩＤ、シクロスポリン、タクロリムス、アミノグリコシド、フォスカネット、エチレングリコール、ヘモグロビン、ミオグロビン、イホスファミド、重金属、メトトレキサート、放射線造影剤、もしくはストレプトゾトシンへの曝露に基づいて腎臓の状態を評価するために前記対象が選択される、請求項１〜３のいずれか１項に記載の方法。
【請求項７】
前記方法が、前記対象における急性腎不全の発生または不発生を診断する方法、前記対象における腎置換療法の必要性の発生または不発生を診断する方法、前記対象における腎移植の必要性の発生または不発生を診断する方法、前記対象における腎置換療法の必要性の将来的な発生または不発生のリスクを割り当てる方法、または前記対象における腎移植の必要性の将来的な発生または不発生のリスクを割り当てる方法である、請求項１〜３のいずれか１項に記載の方法。
【請求項８】
前記腎臓の状態における将来的な変化が、前記体液試料を取得する時点から１２時間以内の将来的なＡＲＦを含む、請求項１〜３のいずれか１項に記載の方法。
【請求項９】
（Ａ）前記対象がＲＩＦＬＥステージ０またはＲにおり、
（ｉ）前記対象が任意にＲＩＦＬＥステージ０におり、かつ前記相関ステップが、２４時間以内に前記対象はＲＩＦＬＥステージＲ、ＩまたはＦに達するであろうという可能性を割り当てることを含み、前記対象がＲＩＦＬＥステージ０におり、かつ前記相関ステップが、２４時間以内に前記対象はＲＩＦＬＥステージＩまたはＦに達するであろうという可能性を割り当てることを含み、または前記対象が任意にＲＩＦＬＥステージ０におり、かつ前記相関ステップが、２４時間以内に前記対象はＲＩＦＬＥステージＦに達するであろうという可能性を割り当てることを含む、
（ｉｉ）前記対象が任意にＲＩＦＬＥステージ０またはＲにおり、かつ前記相関ステップが、２４時間以内に前記対象はＲＩＦＬＥステージＩまたはＦに達するであろうという可能性を割り当てることを含み、前記対象が任意にＲＩＦＬＥステージ０またはＲにおり、かつ前記相関ステップが、２４時間以内に前記対象はＲＩＦＬＥステージＦに達するであろうという可能性を割り当てることを含む、
（ｉｉｉ）前記対象が任意にＲＩＦＬＥステージＲにおり、かつ前記相関ステップが、２４時間以内に前記対象はＲＩＦＬＥステージＩまたはＦに達するであろうという可能性を割り当てることを含み、前記対象が任意にＲＩＦＬＥステージＲにおり、かつ前記相関ステップが、２４時間以内に前記対象はＲＩＦＬＥステージＦに達するであろうという可能性を割り当てることを含む、または、
（Ｂ）前記対象がＲＩＦＬＥステージ０、Ｒ、またはＩにおり、かつ前記相関ステップが、２４時間以内に前記対象はＲＩＦＬＥステージＦに達するであろうという可能性を割り当てることを含む、請求項１〜３のいずれか１項に記載の方法。
【請求項１０】
（ａ）前記対象が急性腎不全ではない、
（ｂ）前記対象が、前記体液試料が取得される時点の前に決定されるベースライン値から１．５倍以上の血清クレアチニンの増加を経験したことがない、
（ｃ）前記対象の尿排出量が、前記体液試料が取得される時点に先立つ６時間にわたって、少なくとも０．５ｍｌ／ｋｇ／時である、
（ｄ）前記対象が、前記体液試料が取得される時点の前に決定されるベースライン値から０．３ｍｇ／ｄＬ以上の血清クレアチニンの増加を経験したことがない、
（ｅ）前記対象が、（ｉ）前記体液試料が取得される時点の前に決定されるベースライン値から１．５倍以上の血清クレアチニンの増加を経験したことがなく、（ｉｉ）尿排出量が、前記体液試料が取得される時点に先立つ６時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、
（ｆ）前記対象が、前記体液試料が取得される時点の前に決定されるベースライン値から１．５倍以上の血清クレアチニンの増加を経験したことがない、
（ｇ）前記対象の尿排出量が、前記体液試料が取得される時点に先立つ６時間にわたって、少なくとも０．５ｍｌ／ｋｇ／時である、
（ｈ）前記対象が、（ｉ）前記体液試料が取得される時点の前に決定されるベースライン値から１．５倍以上の血清クレアチニンの増加を経験したことがなく、（ｉｉ）尿排出量が、前記体液試料が取得される時点に先立つ１２時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、
（ｉ）前記対象が、前記体液試料が取得される時点の前に決定されるベースライン値から２倍以上の血清クレアチニンの増加を経験したことがない、
（ｊ）前記対象の尿排出量が、前記体液試料が取得される時点に先立つ１２時間にわたって、少なくとも０．５ｍｌ／ｋｇ／時である、
（ｋ）前記対象が、（ｉ）前記体液試料が取得される時点の前に決定されるベースライン値から２倍以上の血清クレアチニンの増加を経験したことがなく、（ｉｉ）尿排出量が、前記体液試料が取得される時点に先立つ２時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、
（ｌ）前記対象が、前記体液試料が取得される時点の前に決定されるベースライン値から３倍以上の血清クレアチニンの増加を経験したことがない、
（ｍ）前記対象の尿排出量が、前記体液試料が取得される時点に先立つ２４時間にわたって少なくとも０．３ｍｌ／ｋｇ／時であるか、または前記体液試料が取得される時点に先立つ１２時間にわたって無尿である、または、
（ｎ）前記対象が、（ｉ）前記体液試料が取得される時点の前に決定されるベースライン値から３倍以上の血清クレアチニンの増加を経験したことがなく、（ｉｉ）尿排出量が、前記体液試料が取得される時点に先立つ２４時間にわたって少なくとも０．３ｍｌ／ｋｇ／時であるか、または前記体液試料が取得される時点に先立つ１２時間にわたって無尿であり、かつ（ｉｉｉ）前記体液試料が取得される時点の前に決定されるベースライン値から０．３ｍｇ／ｄＬ以上の血清クレアチニンの増加を経験したことがない、請求項１〜４のいずれか１項に記載の方法。
【請求項１１】
前記体液試料が尿試料である、請求項１〜１０のいずれか１項に記載の方法。
【請求項１２】
前記方法が、フォリスタチン、ベータ−神経成長因子、インターロイキン−１７Ａ、卵胞刺激ホルモンβサブユニット、コラゲナーゼ３、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファのうちの１、２または３つ以上を検出するアッセイを行うことを含む、請求項１〜１１のいずれか１項に記載の方法。
【請求項１３】
急性腎不全の評価のためのフォリスタチン、ベータ−神経成長因子、インターロイキン−１７Ａ、卵胞刺激ホルモンβサブユニット、コラゲナーゼ３、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカーの使用。
【請求項１４】
フォリスタチン、ベータ−神経成長因子、インターロイキン−１７Ａ、卵胞刺激ホルモンβサブユニット、コラゲナーゼ３、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上の腎損傷マーカーを検出するように構成された１つ以上のアッセイを行うための試薬を含むキット。
【請求項１５】
（ａ）前記試薬が１つ以上の結合試薬を含み、その各々が前記腎損傷マーカーの１つに特異的に結合し、任意の複数の結合試薬が単一アッセイ装置の中に含まれる、
（ｂ）前記アッセイの少なくとも１つがサンドイッチ結合アッセイとして構成される、または、
（ｃ）前記アッセイの少なくとも１つが競合結合アッセイとして構成され、前記１つ以上のアッセイが、フォリスタチン、ベータ−神経成長因子、インターロイキン−１７Ａ、卵胞刺激ホルモンβサブユニット、コラゲナーゼ３、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファのうちの１、２または３つ以上を検出するアッセイを任意に含む、請求項１４に記載のキット。
【発明の詳細な説明】
【技術分野】
【０００１】
本出願は、２０１０年１０月７日に出願した米国仮特許出願第６１／３９０，９９９号の優先権を主張し、これらの各々は、全ての表、図、および特許請求の範囲を含めて、その全体が本明細書に組込まれる。
【０００２】
本発明の背景について以下に論じることは、読者が本発明を理解することを助けるために提供されるにすぎず、本発明の先行技術について記載または構成することを認めるものではない。
【０００３】
腎臓は、体内からの水および溶質の排出に関与する。その機能には、酸と塩基のバランスの維持、電解質濃度の調節、血液量の制御、および血圧の調節が含まれる。そのようなことから、損傷および／または疾患による腎機能の喪失は、相当な罹患率および死亡率をもたらす。Ｈａｒｒｉｓｏｎ’ｓ Ｐｒｉｎｃｉｐｌｅｓ ｏｆ Ｉｎｔｅｒｎａｌ Ｍｅｄｉｃｉｎｅ,１７ｔｈ Ｅｄ.,ＭｃＧｒａｗ Ｈｉｌｌ,Ｎｅｗ Ｙｏｒｋ,ｐａｇｅｓ １７４１−１８３０（これは、参照により、その全体が本明細書に組込まれる）の中で、腎損傷について詳細に論じられている。腎臓の疾患および／または損傷は、急性的または慢性的であり得る。急性および慢性の腎臓疾患については、以下のように記載されている（Ｃｕｒｒｅｎｔ Ｍｅｄｉｃａｌ Ｄｉａｇｎｏｓｉｓ＆Ｔｒｅａｔｍｅｎｔ ２００８,４７ｔｈ Ｅｄ,ＭｃＧｒａｗ Ｈｉｌｌ,Ｎｅｗ Ｙｏｒｋ,ｐａｇｅｓ ７８５−８１５、これらは、参照によりその全体が本明細書に組込まれる）。「急性腎不全は、数時間から数日にわたる、腎機能の悪化であり、血液中に（尿素窒素などの）窒素性廃棄物およびクレアチニンの滞留をもたらす。これらの物質の滞留は、高窒素血症と呼ばれる。慢性腎不全（慢性腎臓疾患）は、数か月から数年にわたる異常な腎機能の喪失に起因する。」
【０００４】
急性腎不全（急性腎損傷とも知られるＡＲＦ、またはＡＫＩ）は、糸球体濾過の突然の（典型的には、約４８時間から１週間以内に検出される）低下である。この濾過能力の低下は、通常、腎臓によって排出される窒素（尿素およびクレアチニン）廃棄物ならびに無窒素廃棄物の滞留、尿排出量の減少、またはその両方をもたらす。ＡＲＦは、入院の約５％、心肺バイパス手術の４〜１５％、および集中治療入院の３０％以下にあたると報告されている。ＡＲＦは、因果関係において腎前性、腎内性、または腎後性として分類され得る。内因性腎疾患を、糸球体異常、尿細管異常、間質異常、および血管異常にさらに分けることができる。ＡＲＦの主な原因を以下の表に記載するが、この出典はＭｅｒｃｋ Ｍａｎｕａｌ,１７ｔｈ ｅｄ.,Ｃｈａｐｔｅｒ ２２２である（これは、参照によりその全体が本明細書に組込まれる）。
【表１】
2018141793.tif 000002
【０００５】
虚血性ＡＲＦの場合、疾患過程は、４段階に分けられ得る。数時間から数日続く初期の段階の期間に、腎臓の灌流の低下は損傷へ進行する。糸球体限外濾過が低下し、尿細管内の残骸により濾液の流れが低下し、かつ傷ついた上皮を通過する濾液の背部漏れが起こる。腎損傷は、この段階の期間に、腎臓の再灌流によって媒介され得る。開始に続いて、拡大の段階があり、これは、虚血性損傷および炎症の継続によって特徴づけられ、内皮障害および血管の鬱血を伴う可能性がある。維持段階の期間が１〜２週間続き、腎細胞損傷が生じ、糸球体濾過および尿排出量が最小限になる。腎上皮が修復され、ＧＦＲが徐々に回復する回復段階が続き得る。これにもかかわらず、ＡＲＦを患う対象の生存率は、約６０％と同じくらい低くなり得る。
【０００６】
（造影剤（ｃｏｎｔｒａｓｔ ｍｅｄｉａ）とも呼ばれる）放射線造影剤（ｒａｄｉｏｃｏｎｔｒａｓｔ ａｇｅｎｔ）およびシクロスポリン、アミノグリコシドを含む抗生物質およびシスプラチンなどの抗癌剤などの他の腎毒素によって引き起こされる急性腎損傷は、数日から約１週間の期間にわたって現れる。造影剤腎症（放射線造影剤によって引き起こされるＡＫＩであるＣＩＮ）は、（虚血性損傷につながる）腎内の血管収縮によって、かつ尿細管上皮細胞に対して直接的な毒性を有する反応性酸素種の発生から引き起こされると考えられている。ＣＩＮは、これまでに、血中尿素窒素および血清クレアチニンの急性（２４〜４８時間以内の発症）であるが可逆（ピークは３〜５日、回復は１週間以内）の増加として、症状が見つかっている。
【０００７】
ＡＫＩを定義および検出するための一般に報告される判定基準は、血清クレアチニンの突然の（典型的には、約２〜７日以内または入院期間内の）上昇である。ＡＫＩを定義および検出するために血清クレアチニン上昇を用いることは定評があるが、血清クレアチニン上昇の規模および血清クレアチニンを測定し、ＡＫＩを定義するのにかかる時間は、刊行物間でかなり異なる。伝統的に、１００％、２００％などの血清クレアチニンの比較的大幅な増加、少なくとも１００％から２ｍｇ／ｄＬをこえる値の増加、および他の定義を用いてＡＫＩを定義する。しかし、最近の傾向は、より少ない血清クレアチニン上昇を用いてＡＫＩを定義する方向に向かっている。血清クレアチニン上昇とＡＫＩとの関係および関連する健康上のリスクは、Ｐｒａｕｇｈｔ ａｎｄ Ｓｈｌｉｐａｋ,Ｃｕｒｒ Ｏｐｉｎ Ｎｅｐｈｒｏｌ Ｈｙｐｅｒｔｅｎｓ １４：２６５−２７０,２００５およびＣｈｅｒｔｏｗ ｅｔ ａｌ,Ｊ Ａｍ Ｓｏｃ Ｎｅｐｈｒｏｌ １６：３３６５−３３７０,２００５に概説されており、その中でまとめられている参考文献と共に、これらは、参照によりその全体が本明細書に組込まれる。これらの刊行物中に記載されているように、腎機能の急速な悪化（ＡＫＩ）およびの死亡リスクの増加ならびに他の有害な結果は、血清クレアチニンの微増と関連することが今や知られている。これらの増加は、相対（パーセント）値または名目上の値として決定され得る。損傷前の値の２０％ほどの少ない血清クレアチニンの相対的増加は、腎機能の急速な悪化（ＡＫＩ）および健康上のリスクの増加を示すことが報告されたが、ＡＫＩおよび健康上のリスクの増加を定義するための、より一般な報告値は、少なくとも２５％の相対的増加である。０．３ｍｇ／ｄＬ、０．２ｍｇ／ｄＬまたはさらに０．１ｍｇ／ｄＬほどの少ない名目上の増加は、腎機能の悪化および死亡リスクの増加を示すことが報告された。血清クレアチニンをこれらの閾値まで上昇させるために、例えば、２日、３日、７日、または患者が病院または集中治療室にいる時間として定義される可変期間におよぶ様々な期間を用いて、ＡＫＩを定義してきた。これらの研究は、腎機能の悪化またはＡＫＩに対して血清クレアチニン上昇の特定の閾値（または上昇の期間）はなく、むしろ血清クレアチニンの上昇の規模の増加と共にリスクの連続的な増加があることを示している。
【０００８】
１つの研究（Ｌａｓｓｎｉｇｇ ｅｔ ａｌｌ,Ｊ Ａｍ Ｓｏｃ Ｎｅｐｈｒｏｌ １５：１５９７−１６０５,２００４、参照によりその全体が本明細書に組込まれる）は、血清クレアチニンの増加および減少の両方を調べた。心臓手術後、血清クレアチニンが−０．１〜−０．３ｍｇ／ｄＬに少し低下した患者は、死亡率が最も低かった。血清クレアチニンがより大きく低下した（−０．４ｍｇ／ｄＬ以上）または血清クレアチニンが増加した患者は、死亡率が高かった。これらの研究結果から、（手術後４８時間以内のわずかなクレアチニン変化によって検出されるような）腎機能の非常にわずかな変化が、患者の予後に深刻な影響をもたらすと結論づけられる。臨床試験および診療において血清クレアチニンを用いてＡＫＩを定義するための統一された分類システムのコンセンサスを得るために、Ｂｅｌｌｏｍｏ ｅｔ ａｌ.,Ｃｒｉｔ Ｃａｒｅ.８（４）：Ｒ２０４−１２,２００４（これは、参照によりその全体が本明細書に組込まれる）は、ＡＫＩ患者を層別化するための以下の分類を提議している：
「リスク」：ベースラインから１．５倍の血清クレアチニンの増加、または６時間の間の、０．５ｍｌ／体重ｋｇ／時間より少ない尿の産生；
「損傷」：ベースラインから２．０倍の血清クレアチニンの増加、または１２時間の間の、０．５ｍｌ／体重ｋｇ／時間より少ない尿の産生；
「不全」：ベースラインから３．０倍の血清クレアチニンの増加もしくは３５５μｍｏｌ／ｌを超えるクレアチニン（４４を超える上昇）、または２４時間の間の、０．３ｍｌ／ｋｇ／ｈｒを下回る尿排出量または少なくとも１２時間の間、無尿；
かつ２つの臨床予後を含む：
「喪失」：４週間を超える腎置換療法の永続的な必要性：
「ＥＳＲＤ」：末期の腎疾患−３ヶ月を超える透析の必要性：
【０００９】
これらの判定基準は、ＲＩＦＬＥ判定基準と呼ばれ、腎臓の状態を分類するための有用な臨床的手段を提供する。Ｋｅｌｌｕｍ,Ｃｒｉｔ.Ｃａｒｅ Ｍｅｄ.３６：Ｓ１４１−４５,２００８およびＲｉｃｃｉ ｅｔ ａｌ.,Ｋｉｄｎｅｙ Ｉｎｔ.７３,５３８−５４６,２００８（これらの各々は、参照によりその全体が本明細書に組込まれる）において論じられるように、ＲＩＦＬＥ判定基準は、多数の研究において実証されたＡＫＩの一定の定義を提供する。
【００１０】
さらに最近、Ｍｅｈｔａ ｅｔ ａｌ.,Ｃｒｉｔ.Ｃａｒｅ １１：Ｒ３１（ｄｏｉ：１０．１１８６.ｃｃ５７１３）,２００７（これは、参照によりその全体が本明細書に組込まれる）が、ＲＩＦＬＥから変更された、ＡＫＩ患者を層別化するための以下の類似の分類を提議している。
「ステージＩ」：０．３ｍｇ／ｄＬ以上（≧２６．４μｍｏｌ／Ｌ以上）の血清クレアチニンの増加もしくはベースラインから１５０％（１．５倍）以上の増加、または６時間以上の間の、１時間あたり０．５ｍＬ／ｋｇより少ない尿排出量；
「ステージＩＩ」：ベースラインから２００％（２倍）を超える血清クレアチニンの増加、または１２時間以上の間の、１時間あたり０．５ｍＬ／ｋｇより少ない尿排出量；
「ステージＩＩＩ」：ベースラインから３００％（３倍）を超える血清クレアチニンの増加、または少なくとも４４μｍｏｌ／Ｌの急激な増加を伴う３５４μｍｏｌ／Ｌ以上の血清クレアチニン、または２４時間の間の、１時間あたり０．３ｍＬ／ｋｇより少ない尿排出量、もしくは１２時間の間、無尿。
【００１１】
ＣＩＮ Ｃｏｎｓｅｎｓｕｓ Ｗｏｒｋｉｎｇ Ｐａｎｅｌ（ＭｃＣｏｌｌｏｕｇｈ ｅｔ ａｌ,Ｒｅｖ Ｃａｒｄｉｏｖａｓｃ Ｍｅｄ．２００６；７（４）：１７７−１９７、これは、参照によりその全体が本明細書に組込まれる）は、血清クレアチニンの２５％の上昇を用いて、（ＡＫＩ型である）造影剤腎症を定義する。様々なグループが、血清クレアチニンを用いてＡＫＩを検出するためにわずかに異なる判定基準を定義しているが、０．３ｍｇ／ｄＬまたは２５％などの血清クレアチニンのわずかな変化は、ＡＫＩ（腎機能の悪化）を検出するのに十分であり、血清クレアチニン変化の規模は、ＡＫＩの重症度および死亡リスクの指標であるということがコンセンサスである。
【００１２】
数日の期間にわたる血清クレアチニンの連続的測定は、ＡＫＩを検出および診断する一般に認められる方法であり、かつＡＫＩ患者を評価する最も重要な手段の１つであると考えられているが、一般に、血清クレアチニンは、ＡＫＩ患者の診断、評価および監視においていくつかの制限があると考えられている。血清クレアチニンが、ＡＫＩの診断に用いられると考えられている値（例えば、０．３ｍｇ／ｄＬまたは２５％の上昇）まで上昇する期間は、用いられる定義に応じて４８時間以上になり得る。ＡＫＩにおける細胞損傷は数時間にわたって起こり得るので、４８時間以上の時点で検出される血清クレアチニン上昇は、損傷の後期の指標になり得、したがって、血清クレアチニンを信頼することはＡＫＩの診断を遅らせ得る。さらに、血清クレアチニンは、腎臓機能が急速に変化しているＡＫＩの最も急性な段階の期間には、腎臓の正確な状態および治療の必要性についての優れた指標にならない。ＡＫＩを患う一部の患者は完全に回復し、一部は透析を（短期または長期のいずれか一方で）必要とし、一部は、死、心臓の主要有害事象および慢性腎疾患を含む他の有害な結果を有するであろう。血清クレアチニンは濾過率のマーカーであるので、ＡＫＩの原因（腎前性、腎内性、腎後性の閉塞、アンテローム閉塞など）または（例えば、起源が、尿細管、糸球体または間質内である）腎内性の疾患の分類もしくは損傷部位を区別しない。尿排出量は同様に限界がある。これらのことを知ることは、ＡＫＩを患う患者を管理および治療することにおいて極めて重要なことであり得る。
【００１３】
これらの制限は、特に、初期および無症状のステージにおいて、しかしまた、腎臓の回復および修復が起きる可能性のあるより後期のステージにおいて、ＡＫＩを検出および評価するためのより良い方法の必要性を強調する。さらに、ＡＫＩを患うリスクのある患者のより優れた同定の必要性がある。
【発明の概要】
【発明が解決しようとする課題】
【００１４】
本発明の目的は、対象の腎機能を評価するための方法および組成物を提供することにある。（それぞれ、本明細書で「腎臓損傷マーカー」と呼ぶ）ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される、本明細書記載の１種類以上のバイオマーカーの測定を、腎機能への損傷、腎機能の低下、および／または（急性腎臓損傷とも呼ばれる）急性腎不全を患う対象もしくはそれらを患うリスクのある対象において、診断、予後診断、リスク層化、病期分類、監視、分類ならびにさらなる診断および治療計画の決定のために用いることができる。
【課題を解決するための手段】
【００１５】
リスク層化のために（すなわち、腎機能の将来的な損傷、腎機能の低下への将来的な進行、ＡＲＦへの将来的な進行、腎機能の将来的な改善などのリスクのある対象を同定するために）；現在の疾患の診断のために（すなわち、腎機能への損傷を患っている対象、腎機能への低下へと進行している対象、ＡＲＦへと進行している対象などを同定するために）；腎機能の悪化または改善についての監視のために；かつ腎機能の改善もしくは悪化、死亡率の減少もしくは増加、対象が腎置換療法（すなわち、血液透析、腹膜透析、血液濾過、および／または腎移植）を必要とするであろうリスクの減少もしくは増加、対象が腎機能への損傷から回復するであろうリスクの減少もしくは増加、対象がＡＲＦから回復するであろうリスクの減少もしくは増加、対象が末期の腎疾患へと進行するであろうリスクの減少もしくは増加、対象が慢性腎疾患へと進行するであろうリスクの減少もしくは増加、対象が移植された腎臓の拒絶反応を患うであろうリスクの減少もしくは増加などの将来的な医学的予後を予測するために、本発明の腎臓損傷マーカーを、単独で、または多数の腎臓損傷マーカーを含むパネルで使用してもよい。
【発明の効果】
【００１６】
第一の態様において、本発明は、対象において腎臓の状態を評価する方法に関する。これらの方法は、対象から得られた体液試料内のベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカーを検出するように構成されるアッセイ法を実行することを含む。このアッセイの結果（複数可）は、例えば、ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１つ以上のバイオマーカーの測定濃度は、その後、対象の腎臓の状態と相関される。この腎臓の状態との相関は、このアッセイ結果（複数可）を、本明細書記載の対象のリスク層化、診断、予後診断、病期分類、分類および監視のうちの１つ以上と相関させることを含んでもよい。したがって、本発明は、腎損傷の評価のために、本発明の１種類以上の腎臓損傷マーカーを利用する。
【００１７】
特定の実施形態において、本明細書記載の腎臓の状態を評価する方法は、対象のリスク層化、すなわち、腎臓の状態における１つ以上の将来的な変化の可能性を対象に割り当てる方法である。これらの実施形態において、このアッセイ結果（複数可）は、１つ以上の将来的なそのような変化と相関する。以下のものは、好ましいリスク層化の実施形態である。
【００１８】
リスク層化の好ましい実施形態において、これらの方法は、腎機能への将来的な損傷について対象のリスクを決定するステップを含み、このアッセイ結果（複数可）は、腎機能への将来的なかかる損傷の可能性と相関する。例えば、測定濃度（複数可）を、各々、閾値と比較してもよい。「陽性進行」を表す腎臓損傷マーカーについては、測定濃度が閾値より低い時に割り当てられる可能性に対して、測定濃度が閾値を超えた時に、腎機能への将来的な損傷を患う可能性の増加を対象に割り当てる。「陰性進行」を表す腎臓損傷マーカーについては、測定濃度が閾値を超える時に割り当てられる可能性に対して、測定濃度が閾値より低い時に、腎機能への将来的な損傷を患う可能性の増加を対象に割り当てる。
【００１９】
リスク層化の他の好ましい実施形態において、これらの方法は、腎機能の将来的な低下について対象のリスクを決定するステップを含み、アッセイの結果（複数可）は、腎機能のかかる低下の可能性と相関する。例えば、測定濃度を、各々、閾値と比較してもよい。「陽性進行」を表す腎臓損傷マーカーについては、測定濃度が閾値より低い時に割り当てられる可能性に対して、測定濃度が閾値を超えた時に、腎機能の将来的な低下を患う可能性の増加をその対象に割り当てる。「陰性進行」を表す腎臓損傷マーカーについては、測定濃度が閾値を超える時に割り当てられる可能性に対して、測定濃度が閾値より低い時に、腎機能の将来的な低下の可能性の増加をその対象に割り当てる。
【００２０】
リスク層化の他のさらに好ましい実施形態において、これらの方法は、腎機能の将来的な改善についての対象の可能性を決定するステップを含み、アッセイの結果（複数可）は、腎機能のかかる将来的な改善の可能性と相関する。例えば、測定濃度（複数可）を、各々、閾値と比較してもよい。「陽性進行」を表す腎臓損傷マーカーについては、測定濃度が閾値を超える時に割り当てられる可能性に対して、測定濃度が閾値より低い時に、腎機能の将来的な改善の可能性の増加をその対象に割り当てる。「陰性進行」を表す腎臓損傷マーカーについては、測定濃度が閾値より低い時に割り当てられる可能性に対して、測定濃度が閾値を超える時に、腎機能の将来的な改善の可能性の増加をその対象に割り当てる。
【００２１】
リスク層化の他のさらに好ましい実施形態において、これらの方法は、ＡＲＦへの進行についての対象のリスクを決定するステップを含み、アッセイの結果（複数可）は、ＡＲＦへのかかる進行の可能性と相関する。例えば、測定濃度（複数可）を、各々、閾値と比較してもよい。「陽性進行」を表す腎臓損傷マーカーについては、測定濃度が閾値より低い時に割り当てられる可能性に対して、測定濃度が閾値を超える時に、ＡＲＦへの進行の可能性の増加をその対象に割り当てる。「陰性進行」を表す腎臓損傷マーカーについては、測定濃度が閾値を超える時に割り当てられる可能性に対して、測定濃度が閾値より低い時に、ＡＲＦへの進行の可能性の増加をその対象に割り当てる。
【００２２】
リスク層化の他の好ましい実施形態において、これらの方法は、対象の予後のリスクを決定するステップを含み、アッセイの結果（複数可）は、その対象が患う腎損傷に関連する臨床予後の発生の可能性と相関する。例えば、測定濃度（複数可）を、各々、閾値と比較してもよい。「陽性進行」を表す腎臓損傷マーカーについては、測定濃度が閾値より低い時に割り当てられる可能性に対して、測定濃度が閾値を超える時に、急性腎臓損傷、ＡＫＩの悪化するステージへの進行、死亡、腎置換療法の必要性、腎毒素の退薬の必要性、末期の腎疾患、心不全、脳卒中、心筋梗塞、慢性腎臓疾患への進行などのうちの１つ以上になる可能性の増加をその対象に割り当てる。「陰性進行」を表す腎臓損傷マーカーについては、測定濃度が閾値を超える時に割り当てられる可能性に対して、測定濃度が閾値より低い時に、急性腎臓損傷、ＡＫＩの悪化するステージへの進行、死亡、腎置換療法の必要性、腎毒素の退薬の必要性、末期の腎疾患、心不全、脳卒中、心筋梗塞、慢性腎臓疾患への進行などのうちの１つ以上になる可能性の増加をその対象に割り当てる。
【００２３】
かかるリスク層化の実施形態において、体液試料を対象から得る時から約１８０日以内に、多少とも、所望の事象が生じる可能性があると割り当てられる可能性またはリスクが好ましい。特に好ましい実施形態において、この割り当てられる可能性またはリスクは、１８カ月、１２０日、９０日、６０日、４５日、３０日、２１日、１４日、７日、５日、９６時間、７２時間、４８時間、３６時間、２４時間、１２時間以内などのより短い期間内で生じる所望の事象に関連する。体液試料を対象から得る時の０時間におけるリスクは、現状の診断に等しい。
【００２４】
リスク層化の好ましい実施形態において、対象において腎前性、腎内性、または腎後性のＡＲＦに対する１つ以上の既知のリスクファクターが以前から存在することに基づいて、リスク層化について、対象を選択する。例えば、大規模な血管手術、冠動脈バイパス、または他の心臓手術を経験するもしくは経験した対象；以前から存在する鬱血性心不全、子癇前症、子癇、真性糖尿病、高血圧、冠動脈疾患、タンパク尿、腎不全、正常範囲を下回る糸球体濾過、肝硬変、正常範囲を上回る血清クレアチニン、もしくは敗血症を患っている対象；またはＮＳＡＩＤ、シクロスポリン、タクロリムス、アミノグリコシド、フォスカネット、エチレングリコール、ヘモグロビン、ミオグロビン、イホスファミド、重金属、メトトレキサート、放射線造影剤、もしくはストレプトゾトシンに曝露された対象が、本明細書記載の方法に従ってリスクを監視するのに好ましい全ての対象である。このリストは、限定するようには意図しない。この文脈の「以前から存在する」とは、体液試料を対象から得る時に、リスクファクターが存在することを意味する。特に好ましい実施形態において、腎機能への損傷、腎機能の低下、またはＡＲＦの現行の診断に基づくリスク層化について、対象を選択する。
【００２５】
他の実施形態において、本明細書記載の腎臓の状態を評価する方法は、対象の腎損傷を診断する方法、すなわち、対象が腎機能への損傷、腎機能の低下、またはＡＲＦを患っているか否かを評価する方法である。これらの実施形態において、このアッセイ結果（複数可）、例えば、ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカーの測定濃度（複数可）は、腎臓の状態における変化の発生または不発生と相関する。下記は、好ましい診断の実施形態である。
【００２６】
好ましい診断の実施形態において、これらの方法は、腎機能への損傷の発生または不発生を診断するステップを含み、このアッセイの結果（複数可）は、かかる損傷の発生または不発生と相関する。例えば、測定濃度（複数可）の各々を、閾値と比較してもよい。陽性進行を表すマーカーについては、（測定濃度が閾値より低い時に割り当てられる可能性に対して）測定濃度が閾値を超える時に、腎機能へ損傷が発生する可能性の増加を対象に割り当てるか、あるいは、（測定濃度が閾値を超える時に割り当てられる可能性に対して）測定濃度が閾値より低い時に、腎機能へ損傷が発生しない可能性の増加を対象に割り当ててもよい。陰性進行を表すマーカーについては、（測定濃度が閾値を超える時に割り当てられる可能性に対して）測定濃度が閾値より低い時に、腎機能へ損傷が発生する可能性の増加を対象に割り当てるか、あるいは、（測定濃度が閾値より低い時に割り当てられる可能性に対して）測定濃度が閾値を超える時に、腎機能へ損傷が発生しない可能性の増加を対象に割り当ててもよい。
【００２７】
他の好ましい診断の実施形態において、これらの方法は、腎機能の低下の発生または不発生を診断するステップを含み、このアッセイの結果（複数可）は、腎機能の低下を引き起こす損傷の発生または不発生と相関する。例えば、測定濃度（複数可）の各々を、閾値と比較してもよい。陽性進行を表すマーカーについては、（測定濃度が閾値より低い時に割り当てられる可能性に対して）測定濃度が閾値を超える時に、腎機能の低下を引き起こす損傷が発生する可能性の増加を対象に割り当てるか、あるいは、（測定濃度が閾値を超える時に割り当てられる可能性に対して）測定濃度が閾値より低い時に、腎機能の低下を引き起こす損傷が発生しない可能性の増加を対象に割り当ててもよい。陰性進行を表すマーカーについては、（測定濃度が閾値を超える時に割り当てられる可能性に対して）測定濃度が閾値より低い時に、腎機能の低下を引き起こす損傷が発生する可能性の増加を対象に割り当てるか、あるいは、（測定濃度が閾値より低い時に割り当てられる可能性に対して）測定濃度が閾値を超える時に、腎機能の低下を引き起こす損傷が発生しない可能性の増加を対象に割り当ててもよい。
【００２８】
さらに他の好ましい診断の実施形態において、これらの方法は、ＡＲＦの発生または不発生を診断するステップを含み、このアッセイの結果（複数可）は、ＡＲＦを引き起こす損傷の発生または不発生と相関する。例えば、測定濃度（複数可）の各々を、閾値と比較してもよい。陽性進行を表すマーカーについては、（測定濃度が閾値より低い時に割り当てられる可能性に対して）測定濃度が閾値を超える時に、ＡＲＦが発生する可能性の増加を対象に割り当てるか、あるいは、（測定濃度が閾値を超える時に割り当てられる可能性に対して）測定濃度が閾値より低い時に、ＡＲＦが発生しない可能性の増加を対象に割り当ててもよい。陰性進行を表すマーカーについては、（測定濃度が閾値を超える時に割り当てられる可能性に対して）測定濃度が閾値より低い時に、ＡＲＦが発生する可能性の増加を対象に割り当てるか、あるいは、（測定濃度が閾値より低い時に割り当てられる可能性に対して）測定濃度が閾値を超える時に、ＡＲＦが発生しない可能性の増加を対象に割り当ててもよい。
【００２９】
さらに他の好ましい診断の実施形態において、これらの方法は、腎置換療法を必要としている対象を診断するステップを含み、このアッセイの結果（複数可）は、腎置換療法の必要性と相関する。例えば、測定濃度（複数可）の各々を、閾値と比較してもよい。陽性進行を表すマーカーについては、（測定濃度が閾値より低い時に割り当てられる可能性に対して）測定濃度が閾値を超える時に、腎置換療法の必要性をもたらす損傷が発生する可能性の増加をその対象に割り当てるか、あるいは、（測定濃度が閾値を超える時に割り当てられる可能性に対して）測定濃度が閾値より低い時に、腎置換療法の必要性をもたらす損傷が発生しない可能性の増加をその対象に割り当ててもよい。陰性進行を表すマーカーについては、（測定濃度が閾値を超える時に割り当てられる可能性に対して）測定濃度が閾値より低い時に、腎置換療法の必要性をもたらす損傷が発生する可能性の増加をその対象に割り当てるか、あるいは、（測定濃度が閾値より低い時に割り当てられる可能性に対して）測定濃度が閾値を超える時に、腎置換療法の必要性をもたらす損傷が発生しない可能性の増加をその対象に割り当ててもよい。
【００３０】
さらに他の好ましい診断の実施形態において、これらの方法は、腎移植を必要としている対象を診断するステップを含み、このアッセイの結果（複数可）は、腎置換療法の必要性と相関する。例えば、測定濃度（複数可）の各々を、閾値と比較してもよい。陽性進行を表すマーカーについては、（測定濃度が閾値より低い時に割り当てられる可能性に対して）測定濃度が閾値を超える時に、腎移植の必要性をもたらす損傷が発生する可能性の増加をその対象に割り当てるか、あるいは、（測定濃度が閾値を超える時に割り当てられる可能性に対して）測定濃度が閾値より低い時に、腎移植の必要性をもたらす損傷が発生しない可能性の増加をその対象に割り当ててもよい。陰性進行を表すマーカーについては、（測定濃度が閾値を超える時に割り当てられる可能性に対して）測定濃度が閾値より低い時に、腎移植の必要性をもたらす損傷が発生する可能性の増加をその対象に割り当てるか、あるいは、（測定濃度が閾値より低い時に割り当てられる可能性に対して）測定濃度が閾値を超える時に、腎移植の必要性をもたらす損傷が発生しない可能性の増加をその対象に割り当ててもよい。
【００３１】
さらに他の実施形態において、本明細書記載の腎臓の状態を評価する方法は、対象の腎損傷を監視する方法、すなわち、腎機能への損傷、腎機能の低下、またはＡＲＦを患っている対象において、腎機能が改善しているかまたは悪化しているか否かを評価する方法である。これらの実施形態において、このアッセイ結果（複数可）、例えば、ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカーの測定濃度（複数可）は、腎臓の状態における変化の発生または不発生と相関する。以下のものは、好ましい監視の実施形態である。
【００３２】
好ましい監視の実施形態において、これらの方法は、腎機能への損傷を患っている対象において、腎臓の状態を監視するステップを含み、このアッセイの結果（複数可）は、その対象の腎臓の状態における変化の発生または不発生と相関する。例えば、測定濃度（複数可）を閾値と比較してもよい。陽性進行を表すマーカーについては、測定濃度が閾値を超える時に、腎機能の悪化をその対象に割り当てるか、あるいは、測定濃度が閾値より低い時に、腎機能の改善をその対象に割り当ててもよい。陰性進行を表すマーカーについては、測定濃度が閾値より低い時に、腎機能の悪化をその対象に割り当てるか、あるいは、測定濃度が閾値を超える時に、腎機能の改善をその対象に割り当ててもよい。
【００３３】
他の好ましい監視の実施形態において、これらの方法は、腎機能の低下を患っている対象において、腎臓の状態を監視するステップを含み、このアッセイの結果（複数可）は、その対象の腎臓の状態における変化の発生または不発生と相関する。例えば、測定濃度（複数可）を閾値と比較してもよい。陽性進行を表すマーカーについては、測定濃度が閾値を超える時に、腎機能の悪化をその対象に割り当てるか、あるいは、測定濃度が閾値より低い時に、腎機能の改善をその対象に割り当ててもよい。陰性進行を表すマーカーについては、測定濃度が閾値より低い時に、腎機能の悪化をその対象に割り当てるか、あるいは、測定濃度が閾値を超える時に、腎機能の改善をその対象に割り当ててもよい。
【００３４】
さらに他の好ましい監視の実施形態において、これらの方法は、急性腎不全を患っている対象において、腎臓の状態を監視するステップを含み、このアッセイの結果（複数可）は、その対象の腎臓の状態における変化の発生または不発生と相関する。例えば、測定濃度（複数可）を閾値と比較してもよい。陽性進行を表すマーカーについては、測定濃度が閾値を超える時に、腎機能の悪化をその対象に割り当てるか、あるいは、測定濃度が閾値より低い時に、腎機能の改善をその対象に割り当ててもよい。陰性進行を表すマーカーについては、測定濃度が閾値より低い時に、腎機能の悪化をその対象に割り当てるか、あるいは、測定濃度が閾値を超える時に、腎機能の改善をその対象に割り当ててもよい。
【００３５】
さらに他の好ましい監視の実施形態において、これらの方法は、腎前性、腎内性、または腎後性のＡＲＦに対する１つ以上の既知のリスクファクターが以前から存在することにより、腎機能への損傷のリスクのある対象において、腎臓の状態を監視するステップを含み、このアッセイの結果（複数可）は、その対象の腎臓の状態における変化の発生または不発生と相関する。例えば、測定濃度（複数可）を閾値と比較してもよい。陽性進行を表すマーカーについては、測定濃度が閾値を超える時に、腎機能の悪化をその対象に割り当てるか、あるいは、測定濃度が閾値より低い時に、腎機能の改善をその対象に割り当ててもよい。陰性進行を表すマーカーについては、測定濃度が閾値より低い時に、腎機能の悪化をその対象に割り当てるか、あるいは、測定濃度が閾値を超える時に、腎機能の改善をその対象に割り当ててもよい。
【００３６】
さらに他の実施形態において、本明細書記載の腎臓の状態を評価する方法は、対象の腎損傷を分類する方法、すなわち、対象の腎損傷が腎前性、腎内性、または腎後性であるのかを決定する方法、および／またはこれらのクラスを、急性尿細管損傷、急性糸球体腎炎、急性尿細管間質性腎炎、急性血管腎症、または浸潤性疾患などのサブクラスに細かく分ける方法、および／または対象が特定のＲＩＦＬＥステージへ進行する可能性を割り当てる方法である。これらの実施形態において、このアッセイ結果（複数可）、例えば、ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカーの測定濃度（複数可）は、特定のクラスおよび／またはサブクラスと相関する。下記は、好ましい分類の実施形態である。
【００３７】
好ましい分類の実施形態において、これらの方法は、対象の腎損傷が腎前性、腎内性、または腎後性であるのかを決定するステップ、および／またはこれらのクラスを、急性尿細管損傷、急性糸球体腎炎、急性尿細管間質性腎炎、急性血管腎症、または浸潤性疾患などのサブクラスにさらに細かく分けるステップ、および／または対象が特定のＲＩＦＬＥステージへ進行する可能性を割り当てる方法ステップであり、このアッセイの結果（複数可）は、その対象についての損傷分類と相関する。例えば、測定濃度を閾値と比較してもよく、測定濃度が閾値を超える時に、特定の分類を割り当てるか、あるいは、測定濃度が閾値より低い時に、異なる分類をその対象に割り当ててもよい。
【００３８】
当業者は様々な方法を用いて、これらの方法に使用するための所望の閾値に達してもよい。例えば、この域値を、かかる健常対象において測定される腎臓損傷マーカーの７５％、８５％、９０％、９５％、または９９％を表す濃度を選択することにより、健常対象の集団から決定してもよい。あるいは、この域値を、対象の「疾患」集団、例えば、損傷を患うまたは損傷の素因（例えば、ＡＲＦへの進行もしくは死、透析、腎移植などのいくつかの他の臨床予後など）を有する対象から、かかる対象において測定される腎臓損傷マーカーの７５％、８５％、９０％、９５％、または９９％を表す濃度を選択することにより決定してもよい。別の代替手段において、この域値を、同じ対象の腎臓損傷マーカーを事前に測定することにより決定してもよい。すなわち、その対象における腎臓損傷マーカーのレベルの一時的変化を用いて、その対象にリスクを割り当ててもよい。
【００３９】
しかし、前述の議論は、本発明の腎臓損傷マーカーを対応する個々の閾値と比較しなければならないことを意味するようには意図しない。アッセイ結果を組み合わせる方法は、多変数ロジスティック回帰、対数線形モデル、ニューラル・ネットワーク解析、ｎ／ｍ解析、ディシジョンツリー解析、マーカーの比率計算などの使用を含み得る。このリストは、限定するようには意図しない。これらの方法において、個々のマーカーを組み合わせることにより決定される複合結果を、それがマーカー自体であるかのように取り扱ってもよい。すなわち、閾値を、個々のマーカーに対する本明細書記載の複合結果について決定してもよく、個々の患者についての複合結果をこの域値と比較してもよい。
【００４０】
特定の試験の２つの集団を区別する能力を、ＲＯＣ解析を用いて確立することができる。例えば、腎臓の状態における１つ以上の将来的な変化を受けやすい「第一の」亜集団からＲＯＣ曲線を作成し、そのような変化を受けにくい「第二の」亜集団を用いて、ＲＯＣ曲線を作成することができ、この曲線下の面積は試験の質の尺度を提供する。本明細書記載の試験は、好ましくは０．５を超える、好ましくは少なくとも０．６を超える、より好ましくは０．７を超える、さらに好ましくは少なくとも０．８を超える、よりさらに好ましくは少なくとも０．９を超える、最も好ましくは少なくとも０．９５を超えるＲＯＣ曲線面積を提供する。
【００４１】
特定の態様において、１種類以上の腎臓損傷マーカーの測定濃度、またはかかるマーカーの混合物を、連続的変数として処理してもよい。例えば、任意の特定の濃度を、対象の腎機能の将来的な低下の対応する可能性、損傷の発生、分類などに変換することができる。さらに別の代替手段において、（例えば、腎臓の状態における１つ以上の将来的な変化、損傷の発生、分類などを受けやすい）「第一の」亜集団およびそのような影響を受けない「第二の」亜集団などの「グループ（ｂｉｎ）」に、対象の集団を分離することにおける許容レベルの特異度および感度を、閾値は提供することができる。試験精度の以下の尺度のうちの１つ以上により、閾値を選択して、この第一および第二の集団を分離する：１を超える、好ましくは少なくとも約２以上もしくは約０．５以下、より好ましくは少なくとも約３以上もしくは約０．３３以下、さらにより好ましくは少なくとも約４以上もしくは約０．２５以下、さらにより好ましくは少なくとも約５以上もしくは約０．２以下、最も好ましくは少なくとも約１０以上もしくは０．１以下のオッズ比；０．５を超える、好ましくは少なくとも約０．６、より好ましくは少なくとも約０．７、さらにより好ましくは少なくとも約０．８、さらにより好ましくは少なくとも０．９、最も好ましくは少なくとも０．９５の特異度、および０．２を超える、好ましくは約０．３を超える、より好ましくは約０．４を超える、さらにより好ましくは少なくとも約０．５を超える、さらにより好ましくは約０．６を超える、さらにより好ましくは約０．７を超える、さらにより好ましくは約０．８を超える、より好ましくは約０．９を超える、最も好ましくは約０．９５を超える対応する感度；０．５を超える、好ましくは少なくとも約０．６、より好ましくは少なくとも約０．７、さらにより好ましくは少なくとも約０．８、さらにより好ましくは少なくとも０．９、最も好ましくは少なくとも０．９５の感度、および０．２を超える、好ましくは約０．３を超える、より好ましくは約０．４を超える、さらにより好ましくは少なくとも約０．５を超える、さらにより好ましくは約０．６を超える、さらにより好ましくは約０．７を超える、さらにより好ましくは約０．８を超える、より好ましくは約０．９を超える、最も好ましくは約０．９５を超える対応する特異度；少なくとも約７５％の感度および少なくとも約７５％の特異度；１を超える、少なくとも約２、より好ましくは少なくとも約３、さらにより好ましくは少なくとも約５、最も好ましくは少なくとも約１０の（感度／（１−特異度）として計算される）陽性尤度比；または１より低い、約０．５以下、より好ましくは約０．３以下、最も好ましくは約０．１以下の（（１−感度）／特異度として計算される）陰性尤度比。
【００４２】
上記の尺度のいずれかの文脈における「約」という用語は、既定の尺度の＋／−５％を表す。
【００４３】
複数の閾値を用いて、対象の腎臓の状態を評価してもよい。例えば、腎臓の状態における１つ以上の将来的な変化、損傷の発生、分類などを受けやすい「第一の」亜集団、およびそのような影響を受けにくい「第二の」亜集団を、単一グループに統合することができる。その後、このグループを、（細分数に応じて、三分位数、四分位数、五分位数などとして知られる）３つ以上の均等な部分に細かく分ける。対象が分類される細分に基づいて、オッズ比を対象に割り当てる。三分位数を考慮する場合、他の細分の比較のための参照として、最も低いまたは最も高い三分位数を用いることができる。この参照細分は、オッズ比を１と割り当てる。第二の三分位数を、その第一の三分位数に関連するオッズ比を割り当てる。すなわち、第二の三分位数のあるヒトは、第一の三分位数のヒトと比較して、腎臓の状態における１つ以上の将来的な変化に苦しむ可能性が３倍以上ある。第三の三分位数にも、その第一の三分位数に関連するオッズ比を割り当てる。
【００４４】
特定に実施形態において、このアッセイ法はイムノアッセイである。かかるアッセイで使用する抗体は、所望の全長腎臓損傷マーカーと特異的に結合し、かつそれと「関連する」（この用語は下記で定義される）１種類以上のポリペプチドとも結合してもよい。多数のイムノアッセイ形式が当業者に知られている。好ましい体液試料は、尿、血液、血清、唾液、涙、および血漿からなる群から選択される。
【００４５】
前述の方法のステップは、腎臓損傷マーカーアッセイの結果（複数可）を、本明細書記載の方法の中の単離に使用するという意味で解釈されるべきではない。むしろ、追加変数または他の臨床的徴候を本明細書記載の方法に含めてもよい。例えば、リスク層化、診断、分類、監視などの方法は、人口学的情報（例えば、体重、性別、年齢、人種）、病歴（例えば、家族の病歴、手術の種類、動脈瘤、鬱血性心不全、子癇前症、子癇、真性糖尿病、高血圧、冠動脈疾患、タンパク尿、腎不全、もしくは敗血症などの以前から存在する疾患、ＮＳＡＩＤ、シクロスポリン、タクロリムス、アミノグリコシド、フォスカネット、エチレングリコール、ヘモグロビン、ミオグロビン、イホスファミド、重金属、メトトレキサート、放射線造影剤、もしくはストレプトゾトシンなどの毒物曝露の種類）、臨床的変数（例えば、血圧、温度、呼吸速度）、リスクスコア（ＡＰＡＣＨＥスコア、ＰＲＥＤＩＣＴスコア、ＵＡ／ＮＳＴＥＭＩのＴＩＭＩリスクスコア、フラミンガムリスクスコア、糸球体濾過量、推定糸球体濾過量、尿生産率、血清もしくは血漿のクレアチニン濃度、尿クレアチニン濃度、ナトリウムの分画排泄率、尿ナトリウム濃度、血清もしくは血漿のクレアチニンに対する尿クレアチニンの比、尿比重、尿浸透圧、血漿の尿素窒素に対する尿の尿素窒素の比、クレアチニンに対する血漿ＢＵＮの比、尿ナトリウム／（尿クレアチニン／血漿クレアチニン）として計算される腎不全の指標、血清または血漿の好中球ゼラチナーゼ（ＮＧＡＬ）濃度、尿のＮＧＡＬ濃度、血清もしくは血漿のシスタチンＣ濃度、血清もしくは血漿の心臓トロポニン濃度、血清もしくは血漿のＢＮＰ濃度、血清もしくは血漿のＮＴｐｒｏＢＮＰ濃度、および血清もしくは血漿のｐｒｏＢＮＰ濃度からなる群から選択される、対象について測定される１つ以上の変数と、アッセイ結果（複数可）とを組み合わせてもよい。１種類以上の腎臓損傷マーカーのアッセイ結果（複数可）と組み合わせてもよい腎機能の他の尺度は、本明細書の以下に、およびＨａｒｒｉｓｏｎ’ｓ Ｐｒｉｎｃｉｐｌｅｓ ｏｆ Ｉｎｔｅｒｎａｌ Ｍｅｄｉｃｉｎｅ,１７ｔｈ Ｅｄ.,ＭｃＧｒａｗ Ｈｉｌｌ,Ｎｅｗ Ｙｏｒｋ,ｐａｇｅｓ １７４１−１８３０、ならびにＣｕｒｒｅｎｔ Ｍｅｄｉｃａｌ Ｄｉａｇｎｏｓｉｓ＆Ｔｒｅａｔｍｅｎｔ ２００８,４７ｔｈ Ｅｄ,ＭｃＧｒａｗ Ｈｉｌｌ,Ｎｅｗ Ｙｏｒｋ,ｐａｇｅｓ ７８５−８１５（これらの各々は、参照によりその全体が本明細書に組込まれる）に記載されている。
【００４６】
２種類以上のマーカーを測定する時、これらの個々のマーカーを、同時に得られる試料において測定するか、または別の（例えば、より早くもしくはより遅い）時に得られる試料から測定してもよい。これらの個々のマーカーを、同じまたは異なる体液試料において測定してもよい。例えば、１種類の腎臓損傷マーカーを血清または血漿試料において測定し、別の腎臓損傷マーカーを尿試料において測定してもよい。さらに、可能性の割り当ては、個々の腎臓損傷マーカーアッセイの結果と、１つ以上の追加変数における経時変化とを組み合わせてもよい。
【００４７】
関連する様々な態様において、本発明は、本明細書記載の方法を実行するための装置およびキットにも関連する。適切なキットは、記載の閾値比較を実行するための説明書と共に、記載の腎臓損傷マーカーのうちの少なくとも１種類についてのアッセイを実行するのに十分である試薬を含む。
【００４８】
特定の実施形態において、かかるアッセイを実行するための試薬はアッセイ装置に供給され、かかるアッセイ装置はかかるキットに含まれてもよい。好ましい試薬は、１種類以上の固相抗体を含み、この固相抗体は、固形支持体に結合した目的のバイオマーカーの標的（複数可）を検出する抗体を含み得る。サンドイッチイムノアッセイの場合、かかる試薬は、１種類以上の検出可能な程度に標識された抗体も含み、この検出可能な程度に標識された抗体は、検出可能な標識に結合した目的のバイオマーカーの標的（複数可）を検出する抗体を含み得る。アッセイ装置の一部として提供され得る追加の随意的要素を、本明細書の以下に記載する。
【００４９】
検出可能な標識は、それら自体検出可能（例えば、蛍光性の部分、電気化学的標識、ｅｃｌ（電気化学発光）標識、金属キレート、コロイド金属粒子など）である分子、および検出可能な反応産物（例えば、西洋ワサビペルオキシダーゼなどの酵素、アルカリホスファターゼなど）の産生によって、または、それ自体検出可能であり得る特異的結合分子（例えば、二次抗体、ビオチン、ジゴキシゲニン、マルトース、オリゴヒスチジン、２，４−ジニトロベンゼン、フェニルヒ酸（ｐｈｅｎｙｌａｒｓｅｎａｔｅ）、ｓｓＤＮＡ、ｄｓＤＮＡなど）の使用を経て間接的に検出され得る分子を含み得る。
【００５０】
シグナル発生要素からのシグナルの産生を、当業で周知の様々な光学的な、聴覚の、電気化学的方法を用いて行うことができる。検出モードの例として、蛍光発光、放射化学検出、反射率、吸光度、電流測定、伝導性、インピーダンス、インターフェロメトリー、偏光解析法などが挙げられる。これらの方法のうちの特定の方法において、固相抗体は、シグナル産生のトランスデューサー（例えば、回折格子、電気化学センサーなど）に結合するが、他の方法において、固相抗体から空間的に離れたトランスデューサー（例えば、励起光源および光学検出器を使用する蛍光光度計）によりシグナルを産生する。このリストは、限定するようには意図しない。抗体ベースのバイオセンサーも使用して、任意選択で標識分子を必要としない検体の存在または量を決定してもよい。
【発明を実施するための形態】
【００５１】
本発明は、１種類以上の腎臓損傷マーカーの測定を経て、腎機能への損傷、腎機能の低下、および／または急性腎不全を患う対象もしくはそれらを患うリスクのある対象における診断、鑑別診断、リスク層化、監視、分類ならびに治療計画の決定のための方法および組成物に関連する。様々な実施形態において、ベータ−神経成長因子、インターロイキン−１７Ａ、卵胞刺激ホルモンβサブユニット、コラゲナーゼ３、フォリスタチン、ビタミンＤ結合タンパク質、膵島アミロイドポリペプチド、インスリンＣペプチド、補体Ｈ因子、胃抑制ポリペプチド、グルカゴン様ペプチド１、グルカゴン、インボルクリン、II型細胞骨格ケラチン−１／ケラチン−１０、II型細胞骨格ケラチン−６Ａ／６Ｂ／６Ｃ、オステオカルシン、リポ多糖、脾臓ポリペプチド、ペプチドＹＹ、アグーチ関連タンパク質、毛様体神経栄養因子、食欲調節ホルモン、トランスサイレチン、インスリン受容体基質−１、およびＮＦ−ｋＢ阻害剤アルファからなる群から選択される１種類以上のバイオマーカー、またはそれらと関連する１種類以上のマーカーの測定濃度は、対象の腎臓の状態と相関する。
【００５２】
本明細書の目的のために、以下の定義を適用する。
【００５３】
本明細書で使用する「腎機能への損傷」は、腎機能の尺度における突然（１４日以内、好ましくは７日以内、より好ましくは７２時間以内、さらにより好ましくは４８時間以内）の測定可能な低下である。かかる損傷を、例えば、糸球体濾過量または推定ＧＦＲの減少、尿排出量の低下、血清クレアチニンの増加、血清シスタチンＣの増加、腎置換療法の必要性などによって明らかにしてもよい。「腎機能の改善」は、腎機能の尺度における突然（１４日以内、好ましくは７日以内、より好ましくは７２時間以内、さらにより好ましくは４８時間以内）の測定可能な増加である。ＧＦＲを測定および／または評価する好ましい方法を、本明細書の以下に記載する。
【００５４】
本明細書で使用する「腎機能の低下」は、０．１ｍｇ／ｄＬ以上（≧８．８μｍｏｌ／Ｌ）の血清クレアチニンの絶対的増加、２０％（ベースラインから１．２倍）以上の血清クレアチニンの増加の割合、または尿排出量の低下（１時間あたり０．５ｍｌ／ｋｇより低い実証された乏尿）によって明らかにされる腎臓機能における突然（１４日以内、好ましくは７日以内、より好ましくは７２時間以内、さらにより好ましくは４８時間以内）の低下である。
【００５５】
本明細書で使用する「急性腎不全」または「ＡＲＦ」は、０．３ｍｇ／ｄＬ以上（≧２６．４μｍｏｌ／ｌ）の血清クレアチニンの絶対的増加、５０％（ベースラインから１．５倍）以上の血清クレアチニンの増加の割合、または尿排出量の低下（少なくとも６時間の間、１時間あたり０．５ｍｌ／ｋｇより低い実証された乏尿）によって明らかにされる腎臓機能における突然（１４日以内、好ましくは７日以内、より好ましくは７２時間以内、さらにより好ましくは４８時間以内）の低下である。この用語は、「急性腎臓損傷」または「ＡＫＩ」と同義である。
【００５６】
本明細書で使用する「ベータ−神経成長因子」という用語は、生体試料中に存在し、ベータ−神経成長因子前駆体（Ｓｗｉｓｓ−Ｐｒｏｔ Ｐ１１３８配列番号１））に由来する１種類以上のポリペプチドを表す。
【化１】
2018141793.tif 000003
【００５７】
以下のドメインが、ベータ−神経成長因子において同定された。
残基          長さ          ドメインＩＤ
１−１８      １８          シグナル配列
１９−１２１    １０３          プロペプチド
１２２−２４１    １２０          成熟ベータ−神経成長因子
【００５８】
本明細書で使用する「インターロイキン１７Ａ」という用語は、生体試料中に存在し、インターロイキン１７Ａ前駆体（Ｓｗｉｓｓ−ＰｒｏｔＱ１６５５２（配列番号２））に由来する１種類以上のポリペプチドを表す。
【化２】
2018141793.tif 000004
【００５９】
以下のドメインが、インターロイキン１７Ａにおいて同定された。
残基          長さ          ドメインＩＤ
１−２３      ２３          シグナル配列
２４−１５５    １３２          成熟インターロイキン１７Ａ
【００６０】
本明細書で使用する「卵胞刺激ホルモンβサブユニット」という用語は、生体試料中に存在し、卵胞刺激ホルモンβサブユニット前駆体（Ｓｗｉｓｓ−ＰｒｏｔＰ０１２２５（配列番号３））に由来する１種類以上のポリペプチドを表す。
【化３】
2018141793.tif 000005
【００６１】
以下のドメインが、卵胞刺激ホルモンβサブユニットにおいて同定された。
残基          長さ          ドメインＩＤ
１−１８      １８          シグナル配列
１９−１２９    １１１          成熟卵胞刺激ホルモンβサブユニット
【００６２】
本明細書で使用する「コラゲナーゼ３」という用語は、生体試料中に存在し、コラゲナーゼ３前駆体（Ｓｗｉｓｓ−Ｐｒｏｔ Ｐ４５４５２（配列番号４））に由来する１種類以上のポリペプチドを表す。
【化４】
2018141793.tif 000006
【００６３】
以下のドメインが、コラゲナーゼ３において同定された。
残基            長さ          ドメインＩＤ
１−１９        １９          シグナル配列
２０−１０３    ８４        活性化ペプチド
１０４−４７１    ３６８    成熟コラゲナーゼ３
【００６４】
本明細書で使用する「フォリスタチン」という用語は、生体試料中に存在し、フォリスタチン前駆体（Ｓｗｉｓｓ−Ｐｒｏｔ  Ｐ１９８８３（配列番号５））に由来する１種類以上のポリペプチドを表す。
【化５】
2018141793.tif 000007
【００６５】
以下のドメインが、フォリスタチンにおいて同定された。
残基            長さ          ドメインＩＤ
１−２９        ２９        シグナル配列
３０−３４４    ３１５      成熟フォリスタチン
３１８−３４４    ２７    アイソフォーム２における欠落
３１８−３２３    ６      アイソフォーム３における欠落
【００６６】
本明細書で使用する「ビタミンＤ結合タンパク質」という用語は、生体試料中に存在し、ビタミンＤ結合タンパク質前駆体（Ｓｗｉｓｓ−Ｐｒｏｔ  Ｐ０２７７４（配列番号６））に由来する１種類以上のポリペプチドを表す。
【化６】
2018141793.tif 000008
【００６７】
以下のドメインが、ビタミンＤ結合タンパク質において同定された。
残基            長さ          ドメインＩＤ
１−１６      １６        シグナル配列
１７−４７４  ４５８    成熟ビタミンＤ結合タンパク質
１−１２２    １２２    アイソフォーム２における欠落
【００６８】
本明細書で使用する「膵島アミロイドポリペプチド」という用語は、生体試料中に存在し、膵島アミロイドポリペプチド前駆体（Ｓｗｉｓｓ−Ｐｒｏｔ  Ｐ１０９９７（配列番号７））に由来する１種類以上のポリペプチドを表す。
【化７】
2018141793.tif 000009
【００６９】
以下のドメインが、膵島アミロイドポリペプチドにおいて同定された。
残基            長さ          ドメインＩＤ
１−２２      ２２        シグナル配列
２３−３１    ９          プロペプチド
３４−７０    ３７        成熟膵島アミロイドポリペプチド
７４−８９    １６        プロペプチド
【００７０】
本明細書で使用する「インスリンＣペプチド」という用語は、生体試料中に存在し、インスリンＣペプチド前駆体（Ｓｗｉｓｓ−Ｐｒｏｔ  Ｐ０１３０８（配列番号８））に由来する１種類以上のポリペプチドを表し、インスリンＣペプチド配列のすべてもしくは一部分を含むものである。
【化８】
2018141793.tif 000010
【００７１】
以下のドメインが、インスリン前駆体において同定された。
残基            長さ          ドメインＩＤ
１−２４        ２４          シグナル配列
２５−５４      ３０            インスリンＢ鎖
５７−８７      ３１            インスリンＣペプチド
９０−１１０    ２１            インスリンＡ鎖
【００７２】
本明細書で使用する「補体Ｈ因子」という用語は、、生体試料中に存在し、補体Ｈ因子前駆体（Ｓｗｉｓｓ−ＰｒｏｔＰ０８６０３（配列番号９））に由来する１種類以上のポリペプチドを表す。
【化９】
2018141793.tif 000011
2018141793.tif 000012
【００７３】
以下のドメインが、補体Ｈ因子において同定された。
残基            長さ          ドメインＩＤ
１−１８        １８          シグナル配列
１９−１２３１    １２１３    成熟補体Ｈ因子
４４６−４４９    ＫＴＣＳ    アイソフォーム２におけるＳＦＴＬ
４５０−１２３１              アイソフォーム２における欠落
【００７４】
本明細書で使用する「胃抑制ポリペプチド」という用語は、、生体試料中に存在し、胃抑制ポリペプチド前駆体（Ｓｗｉｓｓ−Ｐｒｏｔ  Ｐ０９６８１（配列番号１０））に由来する１種類以上のポリペプチドを表す。
【化１０】
2018141793.tif 000013
【００７５】
以下のドメインが、胃抑制ポリペプチドにおいて同定された。
残基            長さ          ドメインＩＤ
１−２１      ２１            シグナル配列
２２−５０    ２９            プロペプチド
５２−９３    ４２            成熟胃抑制ポリペプチド
９５−１５３  ５９            プロペプチド
【００７６】
本明細書で使用する「グルカゴン」という用語は、生体試料中に存在し、グルカゴン前駆体（Ｓｗｉｓｓ−Ｐｒｏｔ  Ｐ０１２７５（配列番号１２））に由来する１種類以上のポリペプチドを表し、成熟グルカゴンのすべてもしくは一部分を含むものである。同様に、「グルカゴン様ペプチド１」という用語は、生体試料中に存在し、グルカゴン前駆体（Ｓｗｉｓｓ−Ｐｒｏｔ  Ｐ０１２７５（配列番号１２））に由来する１種類以上のポリペプチドを表し、グルカゴン様ペプチド１のすべてもしくは一部分を含むものである。
【化１１】
2018141793.tif 000014
【００７７】
以下のドメインが、グルカゴンにおいて同定された。
残基            長さ          ドメインＩＤ
１−２０        ２０          シグナル配列
２１−８９      ６９          グリセンチン
２１−５０      ３０          グリセンチン関連ポリペプチド
５３−８９      ３７          オキシントモジュリン
５３−８１      ２９          成熟グルカゴン８４−８９        ６          プロペプチド
９２−１２８    ３７          グルカゴン様ペプチド１
９８−１２８    ３１          グルカゴン様ペプチド１（７−３７）
９８−１２７    ３０          グルカゴン様ペプチド１（７−３６）
１３１−１４５    １５        プロペプチド
１４６−１７８    ３３        グルカゴン様ペプチド２
【００７８】
本明細書で使用する「インボルクリン」という用語は、生体試料中に存在し、インボルクリン前駆体（Ｓｗｉｓｓ−Ｐｒｏｔ  Ｐ０７４７６（配列番号１３））に由来する１種類以上のポリペプチドを表す。
【化１２】
2018141793.tif 000015
【００７９】
本明細書で使用する「II型細胞骨格ケラチン−１／１０」という用語は、生体試料中に存在し、II型細胞骨格ケラチン−１前駆体（Ｓｗｉｓｓ−Ｐｒｏｔ  Ｐ０４２６４（配列番号１４））
【化１３】
2018141793.tif 000016
もしくはII型細胞骨格ケラチン−１０前駆体（Ｓｗｉｓｓ−Ｐｒｏｔ  Ｐ１３６４５（配列番号１５）） に由来する１種類以上のポリペプチドを表す。
【化１４】
2018141793.tif 000017
2018141793.tif 000018
【００８０】
好ましいアッセイは、II型ケラチン−１およびII型ケラチン−１０配列の両方を検出する。
【００８１】
本明細書で使用する「II型細胞骨格ケラチン−６Ａ／６Ｂ／６Ｃ」という用語は、生体試料中に存在し、II型細胞骨格ケラチン−６Ａ前駆体（Ｓｗｉｓｓ−Ｐｒｏｔ  Ｐ０２５３８（配列番号１６））
【化１５】
2018141793.tif 000019
2018141793.tif 000020
もしくはII型細胞骨格ケラチン−６Ｂ前駆体（Ｓｗｉｓｓ−Ｐｒｏｔ  Ｐ０４２５９（配列番号１７））
【化１６】
2018141793.tif 000021
もしくはII型細胞骨格ケラチン−６Ｃ前駆体（Ｓｗｉｓｓ−Ｐｒｏｔ  Ｐ４８６６８（配列番号１８）） 
【化１７】
2018141793.tif 000022
に由来する１種類以上のポリペプチドを表す。
【００８２】
好ましいアッセイは、II型細胞骨格ケラチン−６Ａ、−６Ｂ、−６Ｃの各配列を検出する。
【００８３】
本明細書で使用する「オステオカルシン」という用語は、生体試料中に存在し、オステオカルシン前駆体（Ｓｗｉｓｓ−Ｐｒｏｔ  Ｐ０２８１８（配列番号１９））に由来する１種類以上のポリペプチドを表す。
【化１８】
2018141793.tif 000023
【００８４】
以下のドメインが、オステオカルシンにおいて同定された。
残基            長さ          ドメインＩＤ
１−２３        ２３          シグナル配列
２４−５１      ２８          プロペプチド
５２−１００    ４９          成熟オステオカルシン
【００８５】
本明細書で使用する「リポ多糖」は、Ｅｓｃｈｅｒｉｃｈｉａ  ｃｏｌｉ、Ｋｌｅｂｓｉｅｌｌａ、ＰｒｏｔｅｕｓもしくはＰｓｅｕｄｏｍｏｎａｓ．  Ｃｉｒｃｕｌａｔｉｎｇ  ＬＰＳのようなグラム陰性生物の細胞壁を構成し、特に、リピドＡを構成し、広い範囲の全身反応を誘発する。モノサイトおよびマクロファージの活性化は、ＩＬ−６、ＩＬ−１２、ＩＬ−１５、ＩＬ−１、ＴＮＦ−α、マクロファージ遊走阻止因子（ＭＩＦ）および高移動度タンパク質Ｂ１（ＨＭＧＢ１）などのサイトカイン様分子のようなサイトカインの放出を引き起こし、同様に、好中球、リンパ球および血管内皮、上方調節細胞接着分子を放出し、プロスタグランジン、ＮＯ合成酵素および急性期タンパク質を誘発する。血小板活性因子（ＰＡＦ）、プロスタグランジン、ロイコトリエンおよびトロンボキサンの放出は、血管内皮を活性化し、血管緊張を調節し、外因性凝固カスケードを活性化する。生体試料中のＬＰＳ測定のためのアッセイは、例えば、Ｌｉｍｕｌｕｓ  ａｍｏｅｂｏｃｙｔｅ  ｌｙｓａｔｅ  （ＬＡＬ）のように、当業者に知られている。
【００８６】
本明細書で使用する「脾臓ポリペプチド」という用語は、生体試料中に存在し、脾臓ポリペプチド前駆体（Ｓｗｉｓｓ−Ｐｒｏｔ Ｐ０１２９８（配列番号２０））に由来する１種類以上のポリペプチドを表す。
【化１９】
2018141793.tif 000024
【００８７】
以下のドメインが、脾臓ポリペプチドにおいて同定された。
残基            長さ          ドメインＩＤ
１−２９        ２９          シグナル配列
３０−６５    ３６        成熟脾臓ポリペプチド
６９−８８      ２０          脾臓イコサペプチド
８９−９５      ７          プロペプチド
【００８８】
本明細書で使用する「ペプチドＹＹ癌抗原ＣＡ１５−３」という用語は、生体試料中に存在し、ペプチドＹＹ癌抗原ＣＡ１５−３前駆体（Ｓｗｉｓｓ−Ｐｒｏｔ  Ｐ１００８２（配列番号２１））に由来する１種類以上のポリペプチドを表す。
【化２０】
2018141793.tif 000025
【００８９】
以下のドメインが、ペプチドＹＹにおいて同定された。
残基            長さ          ドメインＩＤ
１−２８        ２８          シグナル配列
２９−６４        ３６          成熟ペプチドＹＹ
３１−６４      ３４          ペプチドＹＹ（３−３６）
６８−９７      ３０          プロペプチド
９１−９７      ７            アイソフォーム２における欠落
【００９０】
本明細書で使用する「アグーチ関連タンパク質」という用語は、生体試料中に存在し、アグーチ関連タンパク質
前駆体（Ｓｗｉｓｓ−Ｐｒｏｔ０００２５３（配列番号２２））に由来する１種類以上のポリペプチドを表す。
【化２１】
2018141793.tif 000026
【００９１】
以下のドメインが、アグーチ関連タンパク質において同定された。
残基            長さ          ドメインＩＤ
１−２０        ２０          シグナル配列２１−１３２    １１２          成熟アグーチ関連タンパク質
【００９２】
本明細書で使用する「毛様体神経栄養因子」という用語は、生体試料中に存在し、毛様体神経栄養因子前駆体（Ｓｗｉｓｓ−Ｐｒｏｔ  Ｐ２６４４１（配列番号２３））に由来する１種類以上のポリペプチドを表す。
【化２２】
2018141793.tif 000027
【００９３】
本明細書で使用する「食欲調節ホルモン」という用語は、生体試料中に存在し、食欲調節ホルモン前駆体（Ｓｗｉｓｓ−Ｐｒｏｔ  Ｑ９ＵＢＵ３（配列番号２４））に由来する１種類以上のポリペプチドを表す。
【化２３】
2018141793.tif 000028
【００９４】
以下のドメインが、食欲調節ホルモンにおいて同定された。
残基            長さ          ドメインＩＤ
１−２３        ２３          シグナル配列
２４−５１      ２８          グレリン２８
２４−５０    ２７            グレリン２７
５２−７５    ２４            プロペプチド
７６−９８    ２３            オベスタチン
９９−１１７          １９          プロペプチド
３７                    １            アイソフォーム２における欠落
【００９５】
本明細書で使用する「トランスサイレチン」という用語は、生体試料中に存在し、トランスサイレチン前駆体（Ｓｗｉｓｓ−ＰｒｏｔＰ０２７６６（配列番号２５））に由来する１種類以上のポリペプチドを表す。
【化２４】
2018141793.tif 000029
【００９６】
以下のドメインが、トランスサイレチンにおいて同定された。
残基            長さ          ドメインＩＤ
１−２０        ２０          シグナル配列
２１−１４７    １２７          成熟トランスサイレチン
【００９７】
本明細書で使用する「インスリン受容体基質−１」という用語は、生体試料中に存在し、インスリン受容体基質−１前駆体（Ｓｗｉｓｓ−Ｐｒｏｔ  Ｐ３５５６８（配列番号２６））に由来する１種類以上のポリペプチドを表す。
【化２５】
2018141793.tif 000030
2018141793.tif 000031
【００９８】
本明細書で使用する「ＮＦ−ｋＢ阻害剤アルファ」という用語は、生体試料中に存在し、ＮＦ−ｋＢ阻害剤アルファ前駆体（Ｓｗｉｓｓ−Ｐｒｏｔ  Ｐ２５９６３（配列番号２７））に由来する１種類以上のポリペプチドを表す。
【化２６】
2018141793.tif 000032
【００９９】
本明細書で使用する、検体の「存在または量とシグナルを関連づける」という用語は、以下の理解を示す。典型的には、所望の検体の既知濃度を用いて計算される標準曲線の使用を経て、アッセイシグナルを検体の存在または量と関連づける。この用語は、本明細書で使用されるように、アッセイが、生理的に適切な濃度の検体の存在または量を示す検出可能なシグナルを発生することができる場合、アッセイは、検体を「検出するように構成」される。ポリペプチドがこのアッセイにおいて使用される抗体または複数の抗体に結合するのに必要なエピトープ（複数可）を含む限り、抗体エピトープは約８アミノ酸であるので、所望のマーカーを検出ように構成されるイムノアッセイは、マーカー配列と関連するポリペプチドも検出するであろう。本明細書記載の腎臓損傷マーカーの１種類などのバイオマーカーに関して、本明細書で使用する「関連マーカー」という用語は、マーカーそれ自体の代替としてもしくは独立したバイオマーカー類として検出され得る特定のマーカーまたはその生合成の親マーカーのうちの１つ以上の断片、バリアントなどを表す。この用語は、生体試料中に存在し、結合タンパク質類、受容体類、ヘパリン、脂質類、糖類などの追加種と複合体を形成するバイオマーカー前駆体に由来する１種類以上のポリペプチドも表す。
【０１００】
この点において、当業者は、イムノアッセイから得られるシグナルが、１種類以上の抗体および標的生体分子（すなわち、検体）とこれらの抗体が結合する必須のエピトープ（複数可）を含むポリペプチドとの間で形成される複合体の直接的な結果であると理解するであろう。かかるアッセイは全長のバイオマーカーを検出し、このアッセイ結果は所望のバイオマーカーの濃度として表され得るが、実際は、このアッセイのシグナルは、試料中に存在する全てのかかる「免疫反応性」ポリペプチドの結果である。バイオマーカーの発現を、タンパク質測定（ドットブロット、ウエスタンブロット、クロマトグラフ法、質量分析法など）および核酸測定（ｍＲＮＡ定量化）を含むイムノアッセイ以外の手段によって決定してもよい。このリストは、限定するようには意図されない。
【０１０１】
本明細書で使用する「陽性進行」を表すマーカーという用語は、疾患または病気を患わない対象に対して、疾患または病気を患う対象において増加していると決定されるマーカーを表す。本明細書で使用する「陰性進行」を表すマーカーという用語は、疾患または病気を患わない対象に対して、疾患または病気を患う対象において減少していると決定されるマーカーを表す。
【０１０２】
本明細書で使用する「対象」という用語は、ヒトまたはヒトではない生物を表す。したがって、本明細書記載の方法および組成物は、ヒトおよび動物の両方の疾患に適用できる。さらに、対象は生物であることが好ましいが、本明細書記載の発明は、死後の検体において同様に使用してもよい。好ましい対象はヒトであり、最も好ましくは「患者」であり、本明細書で使用する患者は、疾患または病気の医療を受けている、生きているヒトを表す。これには、病気が分からない、病状の兆候について調べられているヒトが含まれる。
【０１０３】
検体は試料において測定されることが好ましい。かかる試料を、対象から取得するか、または対象に提供されることが意図される生体物質から取得してもよい。例えば、試料は、対象への移植の可能性について評価されている腎臓から取得してもよく、検体測定を用いて、以前から存在する損傷についてこの腎臓を評価してもよい。試料は、体液試料であることが好ましい。
【０１０４】
本明細書で使用する「体液試料」という用語は、患者または移植提供者などの所望の対象の診断、予後診断、分類または評価の目的のために取得される体液の試料を表す。特定の実施形態において、かかる試料を、進行している病気の予後または病気における治療計画の効果を決定する目的のために取得してもよい。好ましい体液試料には、血液、血清、血漿、脳脊髄液、尿、唾液、痰、および胸水が含まれる。さらに、特定の体液試料は、分画または精製の手順後に、例えば、全血を血清または血漿の成分へ分離した後に、より容易に解析されるということを当業者は理解するであろう。
【０１０５】
本明細書で使用する「診断」という用語は、患者がある疾患または病気を患っているか否かの可能性（ｐｒｏｂａｂｉｌｉｔｙ）（「可能性（ｌｉｋｅｌｉｈｏｏｄ）」）を当業者が評価および／または決定することができる方法を表す。本発明の場合、「診断」は、任意選択で、他の臨床的特徴と共に本発明の腎臓損傷マーカーについてのアッセイ、最も好ましくはイムノアッセイの結果を用いて、試料を取得し、アッセイする対象の急性腎損傷またはＡＲＦの診断（すなわち、発生もしくは不発生）に達するステップを含む。かかる診断が「決定される」ということは、この診断が１００％正確であることを意味することは意図しない。多くのバイオマーカーが複数の病気を示す。熟練した臨床医は、情報の真空状態においてバイオマーカーの結果を用いないが、むしろ、他の臨床的徴候と共に試験結果を用いて、診断に達する。したがって、一方の所定の診断の閾値における測定バイオマーカーのレベルは、他方の所定の診断の閾値の測定レベルに対して、対象における疾患の発生の可能性が高いことを示す。
【０１０６】
同様に、予後診断のリスクは、所定の経過または結果が起こる可能性（ｐｒｏｂａｂｉｌｉｔｙ）（「可能性（ｌｉｋｅｌｉｈｏｏｄ）」）を示唆する。病的状態の可能性の増加（例えば、腎機能の悪化、将来的なＡＲＦ、または死）と同じく関係がある予後指標のレベルまたはレベルの変化を、患者における有害事象の「可能性の増加を示している」と見なす。
【０１０７】
マーカーアッセイ
一般に、イムノアッセイは、所望のバイオマーカーを含むまたは含むと思われる試料と、このバイオマーカーと特異的に結合する少なくとも１種類の抗体とを接触させるステップを含む。その後、この試料中のポリペプチドとこの抗体が結合することにより形成される複合体の存在または量を示すシグナルが発生する。その後、このシグナルは、この試料中のバイオマーカーの存在または量と関連する。バイオマーカーの検出および解析のための多数の方法および装置が当業者に周知である。例えば、米国特許第６，１４３，５７６号、同第６，１１３，８５５号、同第６，０１９，９４４号、同第５，９８５，５７９号、同第５，９４７，１２４号、同第５，９３９，２７２号、同第５，９２２，６１５号、同第５，８８５，５２７号、同第５，８５１，７７６号、同第５，８２４，７９９号、同第５，６７９，５２６号、同第５，５２５，５２４号、および同第５，４８０，７９２号明細書、ならびにＴｈｅ Ｉｍｍｕｎｏａｓｓａｙ Ｈａｎｄｂｏｏｋ,Ｄａｖｉｄ Ｗｉｌｄ,ｅｄ.Ｓｔｏｃｋｔｏｎ Ｐｒｅｓｓ,Ｎｅｗ Ｙｏｒｋ,１９９４を参照されたい。これらの各々は、全ての表、図および特許請求の範囲を含めて、参照によりその全体が本明細書に組込まれる。
【０１０８】
当業で知られるこれらのアッセイ装置および方法は、様々なサンドイッチアッセイ、競合アッセイ、または非競合アッセイの形式で標識分子を利用し、所望のバイオマーカーの存在または量と関連するシグナルを発生することができる。適切なアッセイ形式には、クロマトグラフ法、質量分析法、およびタンパク質「ブロッティング」法も含まれる。さらに、標識分子を必要とせず、かかるバイオセンサーおよび光学イムノアッセイなどの特定の方法および装置を用いて、検体の存在または量を決定してもよい。例えば、米国特許第５，６３１，１７１号、および同第５，９５５，３７７号明細書を参照されたい。これらの各々は、全ての表、図および特許請求の範囲を含めて、参照によりその全体が本明細書に組込まれる。ベックマン社のＡＣＣＥＳＳ（登録商標）、アボット社のＡＸＳＹＭ（登録商標）、ロッシュ社のＥＬＥＣＳＹＳ（登録商標）、デイドベーリング社のＳＴＲＡＴＵＳ（登録商標）のシステムを含むがそれらに限定されないロボット計測手段は、イムノアッセイを実行することができるイムノアッセイ分析器に含まれることも当業者は理解する。しかし、任意の適切なイムノアッセイは、例えば、酵素結合イムノアッセイ（ＥＬＩＳＡ）、ラジオイムノアッセイ（ＲＩＡ）、競合結合アッセイなどを利用してもよい。
【０１０９】
抗体または他のポリペプチドを、アッセイにおいて使用するための様々な固形支持体上に固定化してもよい。特異的結合メンバーを固定化するために使用され得る固相は、固相結合アッセイの固相として開発および／または使用される固相を含む。適切な固相の例として、メンブランフィルター、セルロースベースのペーパー紙、（重合体、ラテックス、常磁性の粒子を含む）ビーズ、グラス、シリコンウエハー、微小粒子、ナノ粒子、ＴｅｎｔａＧｅｌ、ＡｇｒｏＧｅｌ、ＰＥＧＡゲル、ＳＰＯＣＣゲルならびにマルチウェルプレートが挙げられる。アッセイの条片（ｓｔｒｉｐ）を、固形支持体上のアレイに抗体または複数の抗体をコーティングすることにより調製することができる。その後、この条片を試験試料に浸し、洗浄および検出ステップを経て迅速に処理し、有色点などの測定可能なシグナルを発生させることができる。抗体または他のポリペプチドを、アッセイ装置表面に直接結合させるか、または間接的に結合させるかのいずれかにより、アッセイ装置の特異的ゾーンに結合させてもよい。後者の例において、抗体または他のポリペプチドを、粒子または他の固形支持体上に固定化してもよく、その固形支持体をこの装置表面に固定化してもよい。
【０１１０】
生物アッセイは検出法を必要とし、結果の定量化の最も一般的な方法の１つは、試験している生物システム中の成分の１つに親和性を有するタンパク質または核酸に、検出可能な標識を結合させることである。検出可能な標識には、それ自体検出可能な（例えば、蛍光部分、電気化学標識、金属キレートなどの）分子、および検出可能な反応生成物（例えば、西洋ワサビペルオキシダーゼ、アルカリホスファターゼなどの酵素）の産生によって、またはそれ自体検出可能である特異的結合分子（例えば、ビオチン、ジゴキシゲニン、マルトース、オリゴヒスチジン、２，４−ジニトロベンゼン、フェニルヒ酸、ｓｓＤＮＡ、ｄｓＤＮＡなど）によって間接的に検出され得る分子が含まれ得る。
【０１１１】
固相および検出可能な標識複合体の調製には、多くの場合、化学的架橋剤の使用が含まれる。クロスリンク試薬には少なくとも２つの反応基が含まれ、一般的に、（同一の反応基を含む）同種官能性クロスリンカーおよび（同一ではない反応基を含む）異種官能性クロスリンカーに分けられる。アミン、スルフヒドリル基を介して結合するか、または非特異的に反応する同種二機能性クロスリンカーは、多くの商業的供給源から入手可能である。マレイミド、アルキルおよびアリールハロゲン化物、α−ハロアシル、ピリジルジスルフィドは、チオール反応基である。マレイミド、アルキルおよびアリールハロゲン化物、およびα−ハロアシルはスルフヒドリル基と反応し、チオールエーテル結合を形成するが、ピリジルジスルフィドはスルフヒドリル基と反応し、混合ジスルフィドを産生する。このピリジルジスルフィド産物は切断可能である。イミドエステルは、タンパク質−タンパク質クロスリンクにも非常に有用である。成功する結合に対して異なる性質を各々組み合わせている、様々な異種二機能性クロスリンカーが市販されている。
【０１１２】
特定の態様において、本発明は、記載の腎臓損傷マーカーの解析のためのキットを提供する。このキットは、腎臓損傷マーカーの少なくとも１種類の抗体を含む少なくとも１種類の試験試料の解析のための試薬類を含む。このキットは、本明細書記載の診断および／または予後の相関のうちの１つ以上を行う装置および使用説明書も含み得る。好ましいキットには、検体について、サンドイッチアッセイを実行するための抗体ペア、または競合アッセイを実行するための標識種が含まれるであろう。抗体ペアは、固相に結合する一次抗体および検出可能な標識に結合する二次抗体を含むことが好ましく、この一次および二次抗体の各々は、腎臓損傷マーカーと結合する。これらの抗体の各々は、モノクローナル抗体であることが最も好ましい。このキットを使用するための、および相関を行うための使用説明書はラベルの形式で存在することができ、このラベルは、その製造、輸送、販売または使用の期間のいかなる時にも、キットに付着しているか、またはそうでなければ、キットに伴う任意の記入または記録された資料を表す。例えば、ラベルという用語は、広告ビラおよびパンフレット、包装材料、使用説明書、オーディオまたはビデオカセット、コンピューターディスク、および直接キットにインプリントされた文書を包含する。
【０１１３】
抗体
本明細書で使用する「抗体」という用語は、抗原またはエピトープと特異的に結合することができる免疫グロブリン遺伝子もしくは複数の免疫グロブリン遺伝子、もしくはその断片に由来する、それらを手本にするまたはそれらによって実質的にコードされるペプチドもしくはポリペプチドを表す。例えば、Ｆｕｎｄａｍｅｎｔａｌ Ｉｍｍｕｎｏｌｏｇｙ,３ｒｄ Ｅｄｉｔｉｏｎ,Ｗ.Ｅ.Ｐａｕｌ,ｅｄ.,Ｒａｖｅｎ Ｐｒｅｓｓ,Ｎ.Ｙ.（１９９３）；Ｗｉｌｓｏｎ（１９９４；Ｊ.Ｉｍｍｕｎｏｌ.Ｍｅｔｈｏｄｓ １７５：２６７−２７３；Ｙａｒｍｕｓｈ（１９９２）Ｊ.Ｂｉｏｃｈｅｍ.Ｂｉｏｐｈｙｓ.Ｍｅｔｈｏｄｓ ２５：８５−９７を参照されたい。抗体という用語は，抗原に結合する能力を保有する抗原結合部分、すなわち「抗原結合部位」（例えば、断片、サブシーケンス、相補性決定領域（ＣＤＲ））を含み、（ｉ）ＶＬ、ＶＨ、ＣＬおよびＣＨ１ドメインからなる一価の断片であるＦａｂ断片；（ｉｉ）ヒンジ領域においてジスルフィド架橋によって結合される２つのＦａｂ断片からなる二価の断片であるＦ（ａｂ’）２断片；（ｉｉｉ）ＶＨおよびＣＨ１ドメインからなるＦｄ断片；（ｉｖ）抗体の単一アームのＶＬおよびＶＨドメインからなるＦｖ断片；（ｖ）ＶＨドメインからなるｄＡｂ断片（Ｗａｒｄ ｅｔ ａｌ.,（１９８９） Ｎａｔｕｒｅ ３４１：５４４−５４６）ならびに（ｖｉ）単離された相補性決定領域（ＣＤＲ）を含む。一本鎖抗体も、参照により「抗体」という用語に含まれる。
【０１１４】
本明細書記載のイムノアッセイにおいて使用する抗体は、本発明の腎臓損傷マーカーに特異的に結合することが好ましい。「特異的に結合する」という用語は、抗体は、上記のように、その抗体が結合するエピトープ（複数可）を提示する任意のポリペプチドと結合するので、抗体は、その指定された標的と独占的に結合するということを示すようには意図しない。むしろ、適切なエピトープ（複数可）を提示しない非標的分子に対する親和性と比較した時、抗体の指定された標的に対する親和性が約５倍を超える場合、抗体は「特異的に結合する」。非標的分子に対する親和性よりも標的分子に対する抗体の親和性は、好ましくは少なくとも約５倍を超える、好ましくは１０倍を超える、より好ましくは２５倍を超える、さらにより好ましくは５０倍を超える、最も好ましくは１００倍以上であろう。好ましい実施形態において、好ましい抗体は少なくとも約１０７Ｍ−１の親和性、好ましくは約１０８Ｍ−１〜約１０９Ｍ−１の間の親和性、約１０９Ｍ−１〜約１０１０Ｍ−１の間の親和性、または約１０１０Ｍ−１〜約１０１２Ｍ−１の間の親和性で結合する。
【０１１５】
親和性は、Ｋｄ＝ｋｏｆｆ／ｋｏｎ（ｋｏｆｆは解離速度定数であり、ｋｏｎは会合速度定数であり、ｋｄは平衡定数である）として計算される。親和性を、様々な濃度（ｃ）における標識リガンドの結合の割合（ｆｒａｃｔｉｏｎ ｂｏｕｎｄ）（ｒ）を測定することによって、平衡状態で決定することができる。スキャッチャード方程式：ｒ／ｃ＝Ｋ（ｎ−ｒ）（式中、ｒ＝平衡状態における結合リガンドのモル／受容体のモル；ｃ＝平衡状態における遊離リガンド濃度；Ｋ＝平衡結合定数；およびｎ＝１つの受容体分子あたりのリガンド結合部位の数）を用いて、これらのデータをグラフにする。グラフ解析により、ｒ／ｃをＹ軸上にプロットするのに対して、ｒをＸ軸上にプロットし、このようにして、スキャッチャードプロットを作成する。スキャッチャード解析による抗体親和性測定法は当業で周知である。例えば、ｖａｎ Ｅｒｐ ｅｔ ａｌ.,Ｊ.Ｉｍｍｕｎｏａｓｓａｙ １２：４２５−４３,１９９１；Ｎｅｌｓｏｎ ａｎｄ Ｇｒｉｓｗｏｌｄ,Ｃｏｍｐｕｔ.Ｍｅｔｈｏｄｓ Ｐｒｏｇｒａｍｓ Ｂｉｏｍｅｄ.２７：６５−８,１９８８を参照されたい。
【０１１６】
「エピトープ」という用語は、抗体に特異的に結合することができる抗原決定基を表す。エピトープは、大抵、アミノ酸または糖の側鎖などの分子の化学的な活性表面集団からなり、大抵、特定の３次元構造の特性および、特定の電荷特性を有する。立体構造エピトープおよび非立体構造エピトープを、変性溶媒の存在下で、前者との結合を失うが後者との結合は失わないという点において区別する。
【０１１７】
多数の刊行物が、選択される検体に結合するポリペプチドのライブラリーを作製し、スクリーニングを行うファージディスプレイ法の使用について論じている。例えば、Ｃｗｉｒｌａ ｅｔ ａｌ.,Ｐｒｏｃ.Ｎａｔｌ.Ａｃａｄ.Ｓｃｉ.ＵＳＡ ８７,６３７８−８２,１９９０；Ｄｅｖｌｉｎ ｅｔ ａｌ.,Ｓｃｉｅｎｃｅ ２４９,４０４−６,１９９０,Ｓｃｏｔｔ ａｎｄ Ｓｍｉｔｈ,Ｓｃｉｅｎｃｅ ２４９,３８６−８８,１９９０；およびＬａｄｎｅｒらの米国特許第５，５７１，６９８号明細書を参照されたい。ファージディスプレイ法の基本概念は、スクリーニングされるポリペプチドをコードするＤＮＡとこのポリペプチドとの間の物理的結合の確立である。この物理的結合は、このポリペプチドをコードするファージゲノムを封入するカプシドの一部としてポリペプチドを提示するファージ粒子によってもたらされる。ポリペプチドとそれらの遺伝物質との間の物理的結合の確立は、異なるポリペプチドを有する非常に多数のファージの同時マススクリーニングを可能にする。標的に対する親和性を有するポリペプチドを提示するファージはこの標的に結合し、これらのファージを、この標的に対する親和性スクリーニングによって濃縮する。これらのファージから提示されるポリペプチドの同一性を、それらのそれぞれのゲノムから決定することができる。その後、これらの方法を用いて、所望の標的に対する結合親和性を有するとして同定されるポリペプチドを、常法により、大量に合成することができる。例えば、米国特許第６，０５７，０９８号明細書を参照されたい。これは、全ての表、図および特許請求の範囲を含めて、その全体が本明細書に組込まれる。
【０１１８】
その後、これらの方法によって産生される抗体を、所望の精製ポリペプチドとの親和性および特異度について最初にスクリーニングし、必要であれば、これらの結果を、結合から排除されることが望まれるポリペプチドとの抗体の親和性および特異度を比較することによって選択してもよい。このスクリーニング手順は、マイクロタイタープレートの別々のウェルに、精製ポリペプチドを固定化することを含み得る。その後、有望な抗体または抗体群を含む溶液を、それぞれのマイクロタイターウェルに入れ、約３０分〜２時間の間インキュベートする。その後、このマイクロタイターウェルを洗浄し、標識二次抗体（例えば、産生される抗体がマウス抗体である場合、アルカリホスファターゼに結合した抗マウス抗体）をこれらのウェルに添加し、約３０分間インキュベートし、その後洗浄する。基質をこれらのウェルに添加し、固定化ポリペプチド（複数可）に対する抗体が存在する場合、呈色反応が現れる。
【０１１９】
その後、そのように同定される抗体を、選択されるアッセイデザインにおいて親和性および特異度についてさらに解析をしてもよい。標的タンパク質のイムノアッセイの開発において、選択された抗体を用いて、イムノアッセイの感度および特異度を判断するために、精製標的タンパク質は標準物質として作用する。様々な抗体の結合親和性は異なり、（例えば、サンドイッチアッセイにおいて）特定の抗体ペアは立体的にお互い干渉し得るなどの理由により、抗体アッセイの性能は、抗体の絶対的な親和性および特異度よりも重要な尺度であり得る。
【０１２０】
本開示は、抗体ベースの結合アッセイについて詳細に記載しているが、アッセイにおける結合種として抗体に代わるものが当業で公知である。これらには、特定の標的、アプタマーなどの受容体が含まれる。アプタマーは、特異的標的分子に結合するオリゴ核酸またはペプチド分子である。アプタマーは、通常、大きなランダム配列プールからそれらを選択することによって作り出されるが、天然アプタマーも存在する。改善されたインビボ安定性または改善された送達特性などの改善された特性をリガンドに与える修飾ヌクレオチドを含む高親和性アプタマー。このような修飾の例として、リボースの位置、リン酸の位置および／または塩基の位置における化学的置換が挙げられ、アミノ酸側鎖官能性が含まれ得る。
【０１２１】
アッセイの相関
バイオマーカーの使用に関して本明細書で使用する「相関する」という用語は、患者におけるバイオマーカー（複数可）の存在または量を、ある病気を患っていると知られている、もしくはある病気を患うリスクのあることが知られているヒト、またはある病気にかかっていないことが知られているヒトにおけるその存在または量とを比較することを表す。多くの場合、これは、バイオマーカー濃度の形式のアッセイ結果と、疾患の発生もしくは不発生またはある将来的な予後の可能性を示すと選択される所定の閾値とを比較する形式をとる。
【０１２２】
診断の閾値を選択することには、とりわけ、疾患の可能性の考慮、異なる試験の閾値における正確な診断と正確ではない診断の分配、診断に基づく治療（もしくは治療ができないこと）の結果の予測が含まれる。例えば、非常に有効であり、リスクのレベルが低い特異的治療を施すことを考慮する時、臨床医は実質的な診断の不確実性を容認することができるので、試験を必要としない。一方、治療選択は効果がなく、リスクが高い状況において、多くの場合、臨床医は、程度の高い診断の確実性を必要とする。したがって、費用／有益な解析には、診断の閾値を選択することが含まれる。
【０１２３】
適切な閾値を、様々な方法で決定することができる。例えば、心臓トロポニンを用いる急性心筋梗塞の診断のための１つの推奨される診断の閾値は、健常集団において見られる濃度の９７．５％である。別の方法では、同じ患者の一連の試料を調べて、事前のベースラインの結果を用いて、バイオマーカーレベルの一時的な変化を監視してもよい。
【０１２４】
集団研究も用いて、判定閾値を選択してもよい。受信者動作特性（「ＲＯＣ」）は、第二次世界大戦中に、レーダー画像解析のために開発されたシグナル検出理論の分野から生じ、多くの場合、ＲＯＣ解析を用いて、「病気の」亜集団と「無病の」亜集団とを一番有効に区別することができる閾値を選択する。この場合の偽陽性は、ヒトの試験結果は陽性であるが、実際には病気ではない時に起こる。一方、偽陰性は、ヒトの試験結果は陰性であり、健常であると示唆されるが、実際には疾患を有する時に起こる。判定閾値が絶えず変化するので、ＲＯＣ曲線を描くために、真陽性率（ＴＰＲ）および偽陽性率（ＦＰＲ）を決定する。ＴＰＲは感度と同等のものであり、ＦＰＲは１−特異度と同等であるので、ＲＯＣグラフは、時々、感度対（１−特異度）のプロットと呼ばれる。完璧な試験では、ＲＯＣ曲線下の面積は１．０であり、ランダムな試験では、面積は０．５であろう。閾値を、特異度および感度の許容レベルをもたらすように選択する。
【０１２５】
この文脈において、「病気の」（亜集団）とは、１つの特徴（疾患もしくは病気の存在またはある予後の発生）を有する集団を表すことを意味し、「無病の」（亜集団）とは、その特徴を欠く集団を表すことを意味する。単一の判定閾値は、かかる方法の最も単純な適用であるが、複数の判定閾値を使用してもよい。例えば、第一の閾値を下回る場合、比較的高い信頼度で疾患が存在しないと割り当てることができ、また、第二の閾値を超える場合、比較的高い信頼度で疾患の存在を割り当てることができる。２つの閾値の間は、確定できないと考えることができる。これは、実際、単なる例であることを意味する。
【０１２６】
閾値の比較に加えて、アッセイ結果を患者の分類（疾患の発生もしくは不発生、予後の可能性など）と相関させる他の方法には、決定木、ルールのセット、ベイズ法、およびニューラル・ネットワーク法が含まれる。これらの方法は、対象が多数の分類から外れて１つの分類に属する程度を表す確立値を生み出すことができる。
【０１２７】
試験精度の尺度を、Ｆｉｓｃｈｅｒ ｅｔ ａｌ.,Ｉｎｔｅｎｓｉｖｅ Ｃａｒｅ Ｍｅｄ.２９：１０４３−５１,２００３に記載のように取得してもよく、これらを用いて、所定のバイオマーカーの有効性を決定してもよい。これらの尺度には、感度および特異度、予測値、尤度比、診断オッズ比、およびＲＯＣ曲線面積が含まれる。ＲＯＣプロットの曲線下の面積（「ＡＵＣ」）は、分類指標が、ランダムに選択される陰性の場合よりも、ランダムに選択される陽性の場合を高く位置づける可能性に等しい。ＲＯＣ曲線下の面積は、２つのグループが連続データである場合を考慮する、２つのグループ間において得られるスコア間の中央値の違いについて検定をするマン・ホイットニーＵ検定、またはランクのウィルコクソン検定と同等であると考えられ得る。
【０１２８】
上記で論じたように、適切な検定は、これらの様々な尺度に関する以下の結果のうちの１つ以上を示し得る：０．５を超える、好ましくは少なくとも０．６、より好ましくは少なくとも０．７、さらにより好ましくは少なくとも０．８、さらにより好ましくは少なくとも０．９、最も好ましくは少なくとも０．９５の特異度、および０．２を超える、好ましくは０．３を超える、より好ましくは０．４を超える、さらにより好ましくは少なくとも０．５、さらにより好ましくは０．６、さらにより好ましくは０．７を超える、さらにより好ましくは０．８を超える、より好ましくは０．９を超える、最も好ましくは０．９５を超える対応する感度；０．５を超える、好ましくは少なくとも０．６、より好ましくは少なくとも０．７、さらにより好ましくは少なくとも０．８、さらにより好ましくは少なくとも０．９、最も好ましくは少なくとも０．９５の感度、および、０．２を超える、好ましくは０．３を超える、より好ましくは０．４を超える、さらにより好ましくは少なくとも０．５、さらにより好ましくは０．６、さらにより好ましくは０．７を超える、さらにより好ましくは０．８を超える、より好ましくは０．９を超える、最も好ましくは０．９５を超える対応する特異度；少なくとも７５％特異度と組み合わせて少なくとも７５％の感度；０．５を超える、好ましくは少なくとも０．６、より好ましくは０．７、さらにより好ましくは少なくとも０．８、さらにより好ましくは少なくとも０．９、最も好ましくは少なくとも０．９５のＲＯＣ曲線面積；１とは異なり、好ましくは少なくとも約２以上もしくは約０．５以下、より好ましくは少なくとも約３以上もしくは約０．３３以下、さらにより好ましくは少なくとも約４以上もしくは約０．２５以下、さらにより好ましくは少なくとも約５以上もしくは約０．２以下、最も好ましくは少なくとも約１０以上もしくは約０．１以下のオッズ比；１を超える、少なくとも約２、より好ましくは少なくとも約３、さらにより好ましくは少なくとも約５、最も好ましくは少なくとも約１０の（感度／（１−特異度）として計算される）陽性尤度比；または１より低い、約０．５以下、より好ましくは約０．３以下、最も好ましくは約０．１以下の（１−感度／特異度として計算される）陰性尤度比。
【０１２９】
追加の臨床的徴候を、本発明の腎臓損傷マーカーアッセイの結果（複数可）と組み合わせてもよい。これらには、腎臓の状態と関連する他のバイオマーカーが含まれる。一般的なバイオマーカー名、続いてそのバイオマーカーまたはその親のＳｗｉｓｓ−Ｐｒｏｔ登録番号を記載する以下のものが、例として含まれる：アクチン（Ｐ６８１３３）、アデノシンデアミナーゼ結合タンパク質（ＤＰＰ４、Ｐ２７４８７）、α−１−酸性糖タンパク質１（Ｐ０２７６３）、α−１−ミクログロブリン（Ｐ０２７６０）、アルブミン（Ｐ０２７６８）、アンジオテンシノゲナーゼ（Ａｎｇｉｏｔｅｎｓｉｎｏｇｅｎａｓｅ）（レニン、Ｐ００７９７）、アネキシンＡ２（Ｐ０７３５５）、β−グルクロニダーゼ（Ｐ０８２３６）、β−２−ミクログロブリン（Ｐ６１６７９）、β−ガラクトシダーゼ（Ｐ１６２７８）、ＢＭＰ−７（Ｐ１８０７５）、脳性ナトリウム利尿ペプチド（ｐｒｏＢＮＰ、ＢＮＰ−３２、ＮＴｐｒｏＢＮＰ；Ｐ１６８６０）、カルシウム結合タンパク質β（Ｓ１００−β、Ｐ０４２７１）、炭酸脱水酵素（Ｑ１６７９０）、カゼインキナーゼ２（Ｐ６８４００）、セルロプラスミン（Ｐ００４５０）、クラスタリン（Ｐ１０９０９）、補体Ｃ３（Ｐ０１０２４）、システインリッチタンパク質（ＣＹＲ６１、Ｏ００６２２）、シトクロムＣ（Ｐ９９９９９）、上皮細胞増殖因子（ＥＧＦ、Ｐ０１１３３）、エンドセリン−１（Ｐ０５３０５）、エキソソームフェチュイン−Ａ（Ｅｘｏｓｏｍａｌ Ｆｅｔｕｉｎ−Ａ）（Ｐ０２７６５）、脂肪酸結合タンパク質、心臓（ＦＡＢＰ３、Ｐ０５４１３）、脂肪酸結合タンパク質、肝臓（Ｐ０７１４８）、フェリチン（軽鎖、Ｐ０２７９３；重鎖、Ｐ０２７９４）、フルクトース−１，６−ビスホスファターゼ（Ｐ０９４６７）、ＧＲＯ−α（ＣＸＣＬ１、（Ｐ０９３４１）、成長ホルモン（Ｐ０１２４１）、肝細胞増殖因子（Ｐ１４２１０）、インスリン様成長ホルモンＩ（Ｐ０１３４３）、免疫グロブリンＧ、免疫グルブリン軽鎖（κおよびλ）、インターフェロンγ（Ｐ０１３０８）、リゾチーム（Ｐ６１６２６）、インターロイキン−１α（Ｐ０１５８３）、インターロイキン−２（Ｐ６０５６８）、インターロイキン−４（Ｐ６０５６８）、インターロイキン−９（Ｐ１５２４８）、インターロイキン−１２ｐ４０（Ｐ２９４６０）、インターロイキン−１３（Ｐ３５２２５）、インターロイキン−１６（Ｑ１４００５）、Ｌ１細胞接着分子（Ｐ３２００４）、乳酸脱水素酵素（Ｐ００３３８）、ロイシンアミノペプチダーゼ（Ｐ２８８３８）、メプリンＡ−αサブユニット（Ｑ１６８１９）、メプリンＡ−βサブユニット（Ｑ１６８２０）、ミッドカイン（Ｐ２１７４１）、ＭＩＰ２−α（ＣＸＣＬ２、Ｐ１９８７５）、ＭＭＰ−２（Ｐ０８２５３）、ＭＭＰ−９（Ｐ１４７８０）、ネトリン−１（Ｏ９５６３１）、中性エンドペプチダーゼ（Ｐ０８４７３）、オステオポンチン（Ｐ１０４５１）、腎乳頭抗原１（ＲＰＡ１）、腎乳頭抗原２（ＲＰＡ２）、レチノール結合タンパク質（Ｐ０９４５５）、リボヌクレアーゼ、Ｓ１００カルシウム結合タンパク質Ａ６（Ｐ０６７０３）、血清アミロイドＰ成分（Ｐ０２７４３）、ナトリウム／水素交換アイソフォーム（ＮＨＥ��、Ｐ４８７６４）、スペルミジン／スペルミンＮ１−アセチルトランスフェラーゼ（Ｐ２１６７３）、ＴＧＦ−β１（Ｐ０１１３７）、トラスフェリン（Ｐ０２７８７）、トレフォイル因子３（ＴＦＦ３、Ｑ０７６５４）、Ｔｏｌｌ様タンパク質４（Ｏ００２０６）、総タンパク質、尿細管間質性腎炎抗原（Ｑ９ＵＪＷ２）、ウロモジュリン（タム−ホースフォールタンパク質、Ｐ０７９１１）。
【０１３０】
リスク層化を目的として、アディポネクチン（Ｑ１５８４８）、アルカリホスファターゼ（Ｐ０５１８６）、アミノペプチダーゼＮ（Ｐ１５１４４）、カルビンジンＤ２８ｋ（Ｐ０５９３７）、シスタチンＣ（Ｐ０１０３４）、Ｆ１ＦＯ ＡＴＰ分解酵素の８サブユニット（Ｐ０３９２８）、γ−グルタミルトランスフェラーゼ（Ｐ１９４４０）、ＧＳＴａ（α−グルタチオン−Ｓ−トランスフェラーゼ、Ｐ０８２６３）、ＧＳＴｐｉ(グルタチオン−Ｓ−トランスフェラーゼＰ、ＧＳＴクラス−ｐｉ、Ｐ０９２１１)、ＩＧＦＢＰ−１（Ｐ０８８３３）、ＩＧＦＢＰ−２（Ｐ１８０６５）、ＩＧＦＢＰ−６（Ｐ２４５９２）、内在性膜タンパク質１（Ｉｔｍ１、Ｐ４６９７７）、インターロイキン−６（Ｐ０５２３１）、インターロイキン−８（Ｐ１０１４５）、インターロイキン−１８（Ｑ１４１１６）、ＩＰ−１０（１０ｋＤａのインターフェロン−γ−誘導タンパク質、Ｐ０２７７８）、ＩＲＰＲ（ＩＦＲＤ１、Ｏ００４５８）、イソバレリル−ＣｏＡ脱水素酵素（ＩＶＤ、Ｐ２６４４０）、Ｉ−ＴＡＣ／ＣＸＣＬ１１（Ｏ１４６２５）、ケラチン１９（Ｐ０８７２７）、Ｋｉｍ−１(Ａ型肝炎ウイルス細胞受容体１、Ｏ４３６５６)、Ｌ−アルギニン：グリシンアミジノトランスフェラーゼ（Ｐ５０４４０）、レプチン（Ｐ４１１５９）、リポカリン２（ＮＧＡＬ、Ｐ８０１８８）、ＭＣＰ−１（Ｐ１３５００）、ＭＩＧ（γ−インターフェロン誘導モノカインＱ０７３２５)、ＭＩＰ−１ａ（Ｐ１０１４７）、ＭＩＰ−３ａ（Ｐ７８５５６）、ＭＩＰ−１β（Ｐ１３２３６）、ＭＩＰ−１ｄ（Ｑ１６６６３）、ＮＡＧ（Ｎ−アセチル−β−Ｄ−グルコサミニダーゼ、Ｐ５４８０２）、有機イオン輸送体（ＯＣＴ２、Ｏ１５２４４）、オステオプロテジェリン（Ｏ１４７８８）、Ｐ８タンパク質（Ｏ６０３５６）、プラスミノーゲン活性化因子阻害剤１（ＰＡＩ−１、Ｐ０５１２１）、ＰｒｏＡＮＰ（１−９８）（Ｐ０１１６０）、タンパク質ホスファターゼ１−β（ＰＰＩ−β、Ｐ６２１４０）、Ｒａｂ ＧＤＩ−β（Ｐ５０３９５）、腎カリクレイン（Ｑ８６Ｕ６１）、内在性膜タンパク質のＲＴ１.Ｂ−１（α）鎖（Ｑ５Ｙ７Ａ８）、可溶性腫瘍壊死因子受容体スーパーファミリーメンバー１Ａ（ｓＴＮＦＲ−Ｉ、Ｐ１９４３８）、可溶性腫瘍壊死因子受容体スーパーファミリーメンバー１Ｂ（ｓＴＮＦＲ−ＩＩ、Ｐ２０３３３）、メタロプロテイナーゼ３の組織阻害剤（ＴＩＭＰ−３、Ｐ３５６２５）、ｕＰＡＲ（Ｑ０３４０５）を、本発明の腎臓損傷マーカーアッセイの結果（複数可）と組み合わせてもよい。
【０１３１】
本発明の腎臓損傷マーカーアッセイの結果（複数可）と組み合わせてもよい他の臨床的徴候には、人口学的情報（例えば、体重、性別、年齢、人種）、病歴（例えば、家族の病歴、手術の種類、動脈瘤、鬱血性心不全、子癇前症、子癇、真性糖尿病、高血圧、冠動脈疾患、タンパク尿、腎不全、もしくは敗血症など以前から存在する疾患、ＮＳＡＩＤ、シクロスポリン、タクロリムス、アミノグリコシド、フォスカネット、エチレングリコール、ヘモグロビン、ミオグロビン、イホスファミド、重金属、メトトレキサート、放射線造影剤、もしくはストレプトゾトシンなどの毒物曝露の種類）、臨床的変数（例えば、血圧、温度、呼吸速度）、リスクスコア（ＡＰＡＣＨＥスコア、ＰＲＥＤＩＣＴスコア、ＵＡ／ＮＳＴＥＭＩのＴＩＭＩリスクスコア、フラミンガムリスクスコア）、糸球体濾過量、推定糸球体濾過量、尿生産率、血清もしくは血漿のクレアチニン濃度、腎乳頭抗原１（ＲＰＡ１）測定、腎乳頭抗原２（ＲＰＡ２）測定、尿クレアチニン濃度、ナトリウムの分画排泄率、尿ナトリウム濃度、血清もしくは血漿のクレアチニンに対する尿クレアチニンの比、尿比重、尿浸透圧、血漿の尿素窒素に対する尿の尿素窒素の比、クレアチニンに対する血漿ＢＵＮの比、および／または尿ナトリウム／（尿クレアチニン／血漿クレアチニン）として計算される腎不全の指標が含まれる。腎臓損傷マーカーアッセイの結果（複数可）と組み合わせてもよい腎機能の他の尺度は、本明細書の以下に、およびＨａｒｒｉｓｏｎ’ｓ Ｐｒｉｎｃｉｐｌｅｓ ｏｆ Ｉｎｔｅｒｎａｌ Ｍｅｄｉｃｉｎｅ,１７ｔｈ Ｅｄ.,ＭｃＧｒａｗ Ｈｉｌｌ,Ｎｅｗ Ｙｏｒｋ,ｐａｇｅｓ １７４１−１８３０,ならびにＣｕｒｒｅｎｔ Ｍｅｄｉｃａｌ Ｄｉａｇｎｏｓｉｓ＆Ｔｒｅａｔｍｅｎｔ ２００８,４７ｔｈ Ｅｄ,ＭｃＧｒａｗ Ｈｉｌｌ,Ｎｅｗ Ｙｏｒｋ,ｐａｇｅｓ ７８５−８１５に記載されている。これらの各々は、参照によりその全体が本明細書に組込まれる。
【０１３２】
このようなアッセイ結果／臨床的徴候の組み合わせは、多変数ロジスティック回帰、対数線形モデル、ニューラル・ネットワーク解析、ｎ／ｍ解析、ディシジョンツリー解析などの使用を含み得る。このリストは、限定するようには意図しない。
【０１３３】
急性腎不全の診断
上記のように、本明細書で使用する「急性腎（または腎臓）損傷」および「急性腎（または腎臓）不全」という用語を、ベースラインの値からの血清クレアチニンの変化に関して、ある程度定義する。ＡＲＦのほとんどの定義は、血清クレアチニンおよび、多くの場合、尿排出量の使用を含む共通事項を有する。この比較において使用する腎機能の利用できるベースラインを測定することなく、腎機能障害を有する患者が存在し得る。かかる事象において、最初に、患者が正常なＧＦＲを有すると想定することにより、ベースラインの血清クレアチニンの値を推定することができる。糸球体濾過量（ＧＦＲ）は、単位時間あたりの腎（腎臓）糸球体毛細血管からボーマン嚢に濾過される液体の体積である。血液中に安定したレベルで存在し、腎臓によって自由に濾過されるが、再吸収または分泌のいずれも起こらない任意の化学物質を測定することにより、糸球体濾過量（ＧＦＲ）を計算することができる。典型的には、ＧＦＲをｍｌ／分の単位で表す。
【０１３４】
【数１】
2018141793.tif 000033
【０１３５】
体表面積に対するＧＦＲの正規化によって、約１．７３ｍ２あたり約７５−１００ｍｌ／分のＧＦＲが想定され得る。したがって、測定される割合は、計算される血液量に由来する尿中の物質の量である。
【０１３６】
糸球体濾過量（ＧＦＲまたはｅＧＦＲ）を計算または推定するために用いられるいくつかの異なる技術がある。しかし、診療においては、クレアチニン・クリアランスを用いてＧＦＲを測定する。クレアチニンは体内で自然に作られる（クレアチニンは、筋肉内で見出されるクレアチンの代謝物である）。クレアチニンは糸球体で自由に濾過され、非常に少量が尿細管によって能動的に分泌され、それにより、クレアチニン・クリアランスが実際のＧＦＲを１０〜２０％過剰評価する。この誤差の範囲は、クレアチニン・クリアランスが測定される容易さを考慮すると許容できる。
【０１３７】
クレアチニンの尿中濃度の値（ＵＣｒ）、尿流量（Ｖ）、およびクレアチニンの血漿濃度（ＰＣｒ）の値が分かっている場合、クレアチニン・クリアランス（ＣＣｒ）を計算することができる。尿中濃度と尿流量の積はクレアチニンの排出量をもたらすので、クレアチニン・クリアランスは、クレアチニン排出量（ＵＣｒ×Ｖ）をクレアチニン血漿濃度で割ったものとも言われる。これらは、一般に、以下のように、
【０１３８】
【数２】
2018141793.tif 000034
数学的に表される。
【０１３９】
一般的に、１日目の朝の空の膀胱から、次の日の朝の膀胱の容量までの２４時間の採尿が行われ、その後、血液の比較試験が行われる。
【０１４０】
【数３】
2018141793.tif 000035
【０１４１】
異なるサイズを有するヒト間での結果の比較を可能にするために、多くの場合、ＣＣｒは体表面積（ＢＳＡ）について補正され、平均サイズを有するヒトと比較して、ｍｌ／分／１．７３ｍ２として表される。ほとんどの成人は、１．７（１．６〜１．９）に近いＢＳＡを有するが、極度の肥満または極度に細い患者は、かれらの実際のＢＳＡについて補正されたＣＣｒを有するべきである。
【０１４２】
【数４】
2018141793.tif 000036
【０１４３】
（収集が完全である時でさえ、）糸球体濾過量（ＧＦＲ）が低下するにつれて、クレアチニン分泌が増加し、それ故に、血清クレアチニンの上昇はより少なくなるので、クレアチニン・クリアランス測定の精度は制限される。したがって、クレアチニン排出は、濾過した量よりもはるかに多くなり、ＧＦＲの潜在的に大きい過剰評価（２倍と同じくらいの違い）をもたらす。しかし、臨床目的には、腎機能が安定か、または徐々に悪くなるか、もしくは良くなるかどうかを決定することが重要である。多くの場合、これを、血清クレアチニンのみを監視することにより決定する。クレアチニン・クリアランスのように、血清クレアチニンは、ＡＲＦの非定常状態の条件において、ＧＦＲを正確に反映するものではないだろう。それにもかかわらず、血清クレアチニンがベースラインから変化する割合は、ＧＦＲの変化を反映するであろう。血清クレアチニンは、容易に、簡単に測定され、腎機能に特異的である。
【０１４４】
ｍＬ／ｋｇ／ｈｒに基づく尿排出量を決定する目的のために、１時間あたりの採尿および測定が適切である。例えば、累積する２４時間の排出量のみが利用でき、患者の体重が分からない場合において、ＲＩＦＬＥ尿排出量判定基準を少し変更することが記載された。例えば、Ｂａｇｓｈａｗ ｅｔ ａｌ.,Ｎｅｐｈｒｏｌ.Ｄｉａｌ.Ｔｒａｎｓｐｌａｎｔ.２３：１２０３−１２１０,２００８は、患者の平均体重を７０ｋｇと想定し、以下に基づくＲＩＦＬＥ分類を患者に割り当てる：＜３５ｍＬ／ｈ（リスク）、＜２１ｍＬ／ｈ（損傷）または＜４ｍＬ／ｈ（不全)。
【０１４５】
治療計画の選択
一度診断が確立すると、腎置換療法の開始、腎臓に損傷をあたえると知られる化合物送達の取りやめ、腎臓移植、腎臓に損傷をあたえることが知られる処置の遅延または回避、改良された利尿薬の投与、目標指向の治療の開始などのその診断に適合する治療計画を、臨床医は容易に選択することができる。当業者は、本明細書記載の診断法に関して論じられる多数の疾患の適切な治療を知っている。例えば、Ｍｅｒｃｋ Ｍａｎｕａｌ ｏｆ Ｄｉａｇｎｏｓｉｓ ａｎｄ Ｔｈｅｒａｐｙ,１７ｔｈ Ｅｄ.Ｍｅｒｃｋ Ｒｅｓｅａｒｃｈ Ｌａｂｏｒａｔｏｒｉｅｓ,Ｗｈｉｔｅｈｏｕｓｅ Ｓｔａｔｉｏｎ,ＮＪ,１９９９を参照されたい。さらに、本明細書記載の方法および組成物は予後の情報を提供するので、本発明のマーカーを用いて、治療経過を監視することが可能である。例えば、予後の状態の改善または悪化は、特定の治療が有効であるかまたは有効ではないかを示し得る。
【０１４６】
本発明は目的を実行し、言及した結果および利点、ならびにその中で固有の結果および利点を得るのに十分適することを、当業者は容易に理解する。本明細書に提供される例は、好ましい実施形態を代表するものであり、例示的であり、本発明の範囲に限定されるようには意図しない。
【０１４７】
実施例
実施例１
造影剤腎症試料の収集
この資料収集研究の目的は、血管内への造影剤の投入前後の、患者の血漿および尿の試料ならびに臨床データを収集することである。ヨウ素造影剤の血管内投与を含むＸ線検査／血管造影検査を行う約２５０人の成人を登録する。この研究に登録するためには、それぞれの患者は以下の試験対象患者基準の全てを満たさなければならず、かつ以下の試験対象除外基準のいずれも満たしてはいけない：
試験対象患者基準
１８歳以上の男性および女性であること；
造影剤の血管内投与を含む（ＣＴスキャンまたは冠状動脈インターベンションなどの）Ｘ線検査／血管造影検査を行うこと；
造影剤投与後少なくとも４８時間の間は入院することが期待されること；
研究の参加について書面によるインフォームド・コンセントを提出すること、かつ全ての研究手順に従うことができ、かつその意思があること。
試験対象除外基準
腎移植者であること；
造影の手順に先立って、急に腎機能が悪化すること；
（緊急のまたは習慣的に）透析をすでに受けているか、または登録時に透析の切迫した必要性があること；
造影剤投与後４８時間以内に、（例えば、心肺バイパスを含む）大手術、またはさらなる腎損傷のかなりのリスクを有する造影剤による追加の画像診断手順を行うことが期待されること；
試験前３０日以内に実験的治療を伴う介入的臨床研究に参加すること；
ヒト免疫不全ウイルス（ＨＩＶ）または肝炎ウイルスによる感染が判明していること。
【０１４８】
第一の造影剤の投与の直前に（および任意の事前の水和手順の後に）、ＥＤＴＡ抗凝固処理血液試料（１０ｍＬ）および尿試料（１０ｍＬ）をそれぞれの患者から収集する。その後、血液および尿の試料を、インデックス造影手順の間、最後の造影剤投与後４（±０．５）、８（±１）、２４（±２）、４８（±２）、および７２（±２）時間の時点で収集する。血液を、直接的な静脈穿刺により、または既存の大腿鞘、中心静脈ライン、末梢の静脈ラインもしくはヘップロック（ｈｅｐ−ｌｏｃｋ）などの他に利用可能な静脈アクセスにより収集する。これらの研究の血液試料を、臨床現場で血漿まで処理し、凍結させ、Ａｓｔｕｔｅ Ｍｅｄｉｃａｌ,Ｉｎｃ.,Ｓａｎ Ｄｉｅｇｏ,ＣＡに輸送する。この研究の尿試料を凍結させ、Ａｓｔｕｔｅ Ｍｅｄｉｃａｌ,Ｉｎｃに輸送する。
【０１４９】
第一の造影剤投与の直前（任意の事前の水和手順の後に）、最後の造影剤投与後４（±０．５）、８（±１）、２４（±２）、４８（±２）、および７２（±２）時間の時点において（理想的には、研究試料を得るのと同時に）、血清クレアチニンをその場で調べる。さらに、それぞれの患者の状態を、さらなる血清および尿のクレアチニン測定、透析の必要性、入院状態、および（死亡を含む）有害な臨床予後に関して、３０日間診断する。
【０１５０】
造影剤投与に先立って、それぞれの患者に、以下の評価に基づくリスクを割り当てる：収縮期血圧８０ｍｍＨｇ未満＝５ポイント；動脈内バルーンポンプ＝５ポイント；鬱血性心不全（クラスＩＩＩ−ＩＶまたは肺水腫の病歴）＝５ポイント；７５歳を超える年齢＝４ポイント；男性の場合３９％未満のヘマトクリット値、女性の場合３５％未満のヘマトクリット値＝３ポイント；糖尿病＝３ポイント；造影剤の体積＝１００ｍＬごとに１ポイント；１．５ｇ／ｄＬを超える血清クレアチニンレベル＝４ポイントまたは推定ＧＦＲ４０−６０ｍＬ／分／１．７３ｍ２＝２ポイント、２０−４０ｍＬ／分／１．７３ｍ２＝４ポイント、２０ｍＬ／分／１．７３ｍ２未満＝６ポイント。割り当てられるリスクは以下のものである：ＣＩＮまたは透析のリスク：５以下の合計ポイント＝ＣＩＮのリスク−７．５％、透析のリスク−０．０４％；６〜１０の合計ポイント＝ＣＩＮのリスク−１４％、透析のリスク−０．１２％；１１〜１６の合計ポイント＝ＣＩＮのリスク−２６．１％、透析のリスク−１．０９％；１６を超える合計ポイント＝ＣＩＮのリスク−５７．３％、透析のリスク−１２．８％。
【０１５１】
実施例２
心臓外科試料の収集
この資料収集研究の目的は、心臓血管手術（腎臓機能に潜在的に損傷を与えると知られる手術）を受ける前後の、患者の血漿および尿の試料ならびに臨床データを収集することである。かかる手術を受ける約９００人の成人を登録する。この研究に登録するためには、それぞれの患者は以下の試験対象患者基準の全てを満たさなければならず、かつ以下の試験対象除外基準のいずれも満たしてはいけない：
試験対象患者基準
１８歳以上の男性および女性であること；
心臓血管手術を行うこと；
腎置換リスクスコアのＴｏｒｏｎｔｏ／Ｏｔｔａｗａ Ｐｒｅｄｉｃｔｉｖｅ Ｒｉｓｋ Ｉｎｄｅｘ（Ｗｉｊｅｙｓｕｎｄｅｒａ ｅｔ ａｌ.,ＪＡＭＡ ２９７：１８０１−９,２００７）が少なくとも２であること；および
研究の参加について書面によるインフォームド・コンセントを提出すること、かつ全ての研究手順に従うことができ、かつその意思があること。
試験対象除外基準
妊娠が判明していること；
腎移植の前歴があること；
登録に先立って、急に腎機能が悪化すること（例えば、ＲＩＦＬＥ分類のいずれかのカテゴリー）；
（緊急のまたは習慣的に）透析をすでに受けているか、または登録時に透析の切迫した必要性があること：
ＡＫＩのための薬剤注入もしくは治療的介入を伴う心臓手術後７日以内に、別の臨床研究にすぐに登録するか、または別の臨床研究に登録することが期待されること；
ヒト免疫不全ウイルス（ＨＩＶ）または肝炎ウイルスによる感染が判明していること。
【０１５２】
第一の切開前３時間以内に（および任意の事前の水和手順の後に）、ＥＤＴＡ抗凝固処理血液試料（１０ｍＬ）、全血（３ｍＬ）、および尿試料（３５ｍＬ）をそれぞれの患者から収集する。その後、血液および尿の試料を、この手順後３（±０．５）、６（±０．５）、１２（±１）、２４（±２）および４８（±２）時間の時点で収集し、その後、患者が病院に留まる場合、３日目から７日目まで毎日収集する。血液を、直接的な静脈穿刺により、または既存の大腿鞘、中心静脈ライン、末梢の静脈ラインもしくはヘップロック（ｈｅｐ−ｌｏｃｋ）などの他に利用可能な静脈アクセスにより収集する。これらの研究の血液試料を凍結させ、Ａｓｔｕｔｅ Ｍｅｄｉｃａｌ,Ｉｎｃ.,Ｓａｎ Ｄｉｅｇｏ,ＣＡに輸送する。この研究の尿試料を凍結させ、Ａｓｔｕｔｅ Ｍｅｄｉｃａｌ,Ｉｎｃに輸送する。
【０１５３】
実施例３
急性疾患の対象の試料の収集
この研究の目的は、急性疾患の患者の試料を収集することである。少なくとも４８時間の間、ＩＣＵにいることが期待される約９００人の成人を登録する。この研究に登録するためには、それぞれの患者は以下の試験対象患者基準の全てを満たさなければならず、かつ以下の試験対象除外基準のいずれも満たしてはいけない：
試験対象患者基準
１８歳以上の男性および女性であること；
研究集団１：以下の少なくとも１つを有する約３００人の患者：
ショック状態（９０ｍｍＨｇ未満のＳＢＰおよび    ／または６０ｍｍＨｇを超えるＭＡＰを維持するために昇圧剤のサポートの必要性および／または少なくとも４０ｍｍＨｇのＳＢＰの文書化された急降下）；ならびに
敗血症；
研究集団２：以下の少なくとも１つを有する約３００人の患者：
登録の２４時間以内に医師向けコンピューター受注システム（ＣＰＯＥ）で注文したＩＶ構成物質；
登録の２４時間以内の造影剤の曝露；
急性非代償性心不全を伴う腹圧の増加；ならびに
登録後４８時間の間のＩＣＵ入院およびＩＣＵに入院する可能性の主な理由として重症外傷；
研究集団３：約３００人の患者
急性腎損傷（例えば、敗血症、低血圧症／ショック状態（ショック＝９０ｍｍＨｇ未満の収縮期のＢＰおよび／もしくは６０ｍｍＨｇを超えるＭＡＰを維持するために昇圧剤のサポートの必要性および／もしくは４０ｍｍＨｇを超えるＳＢＰの文書化された急降下）、大外傷、大出血、または大手術）のリスクファクターが判明することで救急処置の環境（ＩＣＵまたはＥＤ）を経て入院することが期待されること；
試験対象除外基準
妊娠が判明していること；
施設居住者；
腎移植の前歴があること；
登録に先立って、腎機能の急激な悪化が判明していること（例えば、ＲＩＦＬＥ判定基準のいずれかのカテゴリー）；
登録前５日以内に（緊急のまたは習慣的に）透析を受けたか、または登録時に透析の切迫した必要性があること：
ヒト免疫不全ウイルス（ＨＩＶ）または肝炎ウイルスによる感染が判明していること；
上記の試験対象患者基準の９０ｍｍＨｇ未満のＳＢＰのみを満たし、主治医または研究責任者の意見にショックを受けないこと；
【０１５４】
インフォームド・コンセントを提供した後、ＥＤＴＡ抗凝固処理血液試料（１０ｍＬ）および尿試料（２５〜３０ｍＬ）をそれぞれの患者から収集する。その後、血液および尿の試料を、（適用できる場合）造影剤投与後４（±０．５）および８（±１）時間の時点で、登録後１２（±１）、２４（±２）、３６（±２）、および４８（±２）時間の時点で、ならびにその後、患者が入院中７〜１４日目まで毎日収集する。血液を、直接的な静脈穿刺により、または既存の大腿鞘、中心静脈ライン、末梢の静脈ラインもしくはヘップロック（ｈｅｐ−ｌｏｃｋ）などの他に利用可能な静脈アクセスにより収集する。これらの研究の血液試料を臨床現場で血漿まで処理し、凍結させ、Ａｓｔｕｔｅ Ｍｅｄｉｃａｌ,Ｉｎｃ.,Ｓａｎ Ｄｉｅｇｏ,ＣＡに輸送する。この研究の尿試料を凍結させ、Ａｓｔｕｔｅ Ｍｅｄｉｃａｌ,Ｉｎｃに輸送する。
【０１５５】
実施例４
イムノアッセイ形式
標準的なサンドイッチ酵素イムノアッセイ技術を用いて、検体を測定する。検体と結合する一次抗体を９６ウェルポリスチレンマイクロプレートのウェルの中に固定化する。検体標準物質および試験試料を適切なウェルの中にピペッターで入れ、存在する全検体を固定化抗体と結合させる。結合しなかった全物質を洗い流した後、この検体が結合する西洋ワサビペルオキシダーゼに結合させた二次抗体をこれらのウェルに添加し、それによって、この検体（存在する場合）および一次抗体とでサンドイッチ複合体を形成させる。結合しなかった全ての抗体−酵素試薬を除去するための洗浄後、テトラメチルベンジジンおよび過酸化水素を含む基質溶液をこれらのウェルに添加する。この試料中に存在する検体量に比例して呈色する。呈色反応を止め、色の強度を５４０ｎｍまたは５７０ｎｍで測定する。検体標準物質から作成した標準曲線と比較することにより、検体濃度をこの試験試料に割り当てる。
【０１５６】
実施例５
外見上健康そうである提供者および慢性疾患患者の試料
慢性または急性疾患が判明していない提供者（「外見上健康そうである提供者」）のヒトの尿試料を２社（Ｇｏｌｄｅｎ Ｗｅｓｔ Ｂｉｏｌｏｇｉｃａｌｓ,Ｉｎｃ.,２７６２５ Ｃｏｍｍｅｒｃｅ Ｃｅｎｔｅｒ Ｄｒ.,Ｔｅｍｅｃｕｌａ,ＣＡ ９２５９０およびＶｉｒｇｉｎｉａ Ｍｅｄｉｃａｌ Ｒｅｓｅａｒｃｈ,Ｉｎｃ.,９１５ Ｆｉｒｓｔ Ｃｏｌｏｎｉａｌ Ｒｄ.,Ｖｉｒｇｉｎｉａ Ｂｅａｃｈ,ＶＡ ２３４５４）から購入した。これらの尿試料を輸送し、−２０℃より低い温度で凍結保存した。これらの会社が、性別、人種（白人／黒人）、喫煙状態および年齢を含む個々の提供者の人口学的情報を提供した。
【０１５７】
鬱血性心不全、冠動脈疾患、慢性腎臓疾患、慢性閉塞性肺疾患、真性糖尿病および高血圧を含む様々な慢性疾患を患う提供者（「慢性疾患患者」）のヒトの尿試料を、Ｖｉｒｇｉｎｉａ Ｍｅｄｉｃａｌ Ｒｅｓｅａｒｃｈ,Ｉｎｃ.,９１５ Ｆｉｒｓｔ Ｃｏｌｏｎｉａｌ Ｒｄ.,Ｖｉｒｇｉｎｉａ Ｂｅａｃｈ,ＶＡ ２３４５４から購入した。これらの尿試料を輸送し、−２０℃より低い温度で凍結保存した。この会社が、年齢、性別、人種（白人／黒人）、喫煙状態およびアルコールの使用、身長、体重、慢性疾患診断（複数可）、現在の投薬ならびに既往手術を有する個々の提供者についての症例報告を提供した。
【０１５８】
実施例６
患者の腎臓の状態を評価するための腎臓損傷マーカーの使用
集中治療室（ＩＣＵ）の患者を以下の試験において登録した。それぞれの患者をＲＩＦＬＥ判定基準によって決定するように、登録後７日以内に達した最高ステージに従って、損傷なし（０）、損傷のリスク（Ｒ）、損傷（Ｉ）、および不全（Ｆ）のように腎臓状態によって分類した。ＥＤＴＡ抗凝固処理血液試料（１０ｍＬ）および尿試料（２５〜３０ｍＬ）を登録時、造影剤投与後４（±０．５）および８（±１）（該当する場合）、登録後１２（±１）、２４（±２）、および４８（±２）時間の時点、その後、対象が入院している間毎日、最高で７日〜１４日にそれぞれの患者から収集した。マーカーを、収集した尿試料および血液試料の血漿成分において、市販のアッセイ試薬を用いて、標準的な免疫測定法によりそれぞれ測定した。
【０１５９】
「疾患」集団および「健常」集団を表す２つのコホートを定義した。これらの用語を便宜上用いるが、「疾患」および「健常」は、単に、比較のための２つのコホート（すなわち、ＲＩＦＬＥ ０対ＲＩＦＬＥ Ｒ、ＩおよびＦ;ＲＩＦＬＥ ０対ＲＩＦＬＥ Ｒ;ＲＩＦＬＥ ０およびＲ対ＲＩＦＬＥ ＩおよびＦなど）を表す。＋／−１２時間である３つのグループに分けられるコホートについて定義したように、最も低い疾患ステージに特定の患者が達する時点に対して、「最高ステージの前」という時点は、試料を収集する時点を表す。例えば、２つのコホートとして０対Ｒ、Ｉ、Ｆを使用する「２４時間前」とは、ステージＲ（またはＲにおける試料がない場合はＩ、またはＲもしくはＩにおける試料がない場合はＦ）に達する２４時間（＋／−１２時間）前を意味する。
【０１６０】
受信者動作特性（ＲＯＣ）曲線を、測定したそれぞれのバイオマーカーについて作成し、それぞれのＲＯＣ曲線下の面積（ＡＵＣ）を決定する。血清クレアチニン測定値（ｓＣｒ）に基づくように、尿排出量（ＵＯ）に基づくように、または血清クレアチニン測定値もしくは尿排出量のいずれか一方に基づくように、コホート２の患者も、コホート２に定まる理由に従って分類した。上記で論じた同じ実施例（０対Ｒ、Ｉ、Ｆ）を用いて、血清クレアチニン測定値のみに基づいてステージＲ、Ｉ、またはＦに定まる患者に対しては、ステージ０のコホートは、尿排出量に基づいてステージＲ、Ｉ、またはＦに定まる患者を含むことができ、尿排出量のみに基づいてステージＲ、Ｉ、またはＦに定まる患者に対しては、ステージ０のコホートは、血清クレアチニン測定値に基づいてステージＲ、Ｉ、またはＦに定まる患者を含むことができ、かつ、血清クレアチニン測定値もしくは尿排出量に基づいてステージＲ、Ｉ、またはＦに定まる患者に対しては、ステージ０のコホートは、血清クレアチニン測定値および尿排出量の両方についてステージ０の患者のみを含む。また、血清クレアチニン測定値もしくは尿排出量に基づいて定まる患者のデータにおいて、最も重篤なＲＩＦＬＥステージを生み出す判定法を用いる。
【０１６１】
コホート１とコホート２とを区別する能力を、ＲＯＣ解析を用いて調べた。ＳＥは、ＡＵＣの標準誤差であり、ｎは試料または個々の患者の数である（「ｐｔｃ」として示される）。標準誤差を、Ｈａｎｌｅｙ,Ｊ.Ａ.,ａｎｄ ＭｃＮｅｉｌ,Ｂ.ＪＴｈｅ ｍｅａｎｉｎｇ ａｎｄ ｕｓｅ の ｔｈｅ ａｒｅａ ｕｎｄｅｒ ａ ｒｅｃｅｉｖｅｒ ｏｐｅｒａｔｉｎｇ ｃｈａｒａｃｔｅｒｉｓｔｉｃ （ＲＯＣ） ｃｕｒｖｅ.Ｒａｄｉｏｌｏｇｙ（１９８２）１４３：２９−３６に記載されているように計算する。ｐ値を、両側Ｚ検定を用いて計算する。０．５未満のＡＵＣは、比較の際に陰性進行を表すマーカーを示し、０．５を超えるＡＵＣは、比較の際に陽性進行を表すマーカーを示す。
【０１６２】
様々な閾値（または「カットオフ」）濃度を選択し、コホート１とコホート２とを区別する関連する感度および特異度を決定する。ＯＲは、特定のカットオフ濃度について計算されたオッズ比であり、９５％ＣＩはオッズ比の信頼区間である。
【０１６３】
表１：コホート１（ＲＩＦＬＥステージ０を超えて進行しなかった患者）から収集した尿試料、およびコホート２においてステージＲ、ＩまたはＦに達する０、２４時間、および４８時間前の時点で対象から収集した尿試料におけるマーカーレベルの比較
【表２】
2018141793.tif 000037
【表３】
2018141793.tif 000038
【表４】
2018141793.tif 000039
【表５】
2018141793.tif 000040
2018141793.tif 000041
【表６】
2018141793.tif 000042
【表７】
2018141793.tif 000043
【表８】
2018141793.tif 000044
【表９】
2018141793.tif 000045
2018141793.tif 000046
【表１０】
2018141793.tif 000047
【表１１】
2018141793.tif 000048
【表１２】
2018141793.tif 000049
【表１３】
2018141793.tif 000050
2018141793.tif 000051
【表１４】
2018141793.tif 000052
【表１５】
2018141793.tif 000053
【表１６】
2018141793.tif 000054
【表１７】
2018141793.tif 000055
2018141793.tif 000056
【表１８】
2018141793.tif 000057
【表１９】
2018141793.tif 000058
【表２０】
2018141793.tif 000059
【表２１】
2018141793.tif 000060
2018141793.tif 000061
【表２２】
2018141793.tif 000062
【表２３】
2018141793.tif 000063
【表２４】
2018141793.tif 000064
【表２５】
2018141793.tif 000065
2018141793.tif 000066
【表２６】
2018141793.tif 000067
【表２７】
2018141793.tif 000068
【表２８】
2018141793.tif 000069
【表２９】
2018141793.tif 000070
2018141793.tif 000071
【表３０】
2018141793.tif 000072
【表３１】
2018141793.tif 000073
【表３２】
2018141793.tif 000074
【表３３】
2018141793.tif 000075
2018141793.tif 000076
【表３４】
2018141793.tif 000077
【表３５】
2018141793.tif 000078
【表３６】
2018141793.tif 000079
【表３７】
2018141793.tif 000080
2018141793.tif 000081
【表３８】
2018141793.tif 000082
【表３９】
2018141793.tif 000083
【表４０】
2018141793.tif 000084
【表４１】
2018141793.tif 000085
2018141793.tif 000086
【表４２】
2018141793.tif 000087
【表４３】
2018141793.tif 000088
【表４４】
2018141793.tif 000089
【表４５】
2018141793.tif 000090
2018141793.tif 000091
【表４６】
2018141793.tif 000092
【表４７】
2018141793.tif 000093
【表４８】
2018141793.tif 000094
【表４９】
2018141793.tif 000095
2018141793.tif 000096
【表５０】
2018141793.tif 000097
【表５１】
2018141793.tif 000098
【表５２】
2018141793.tif 000099
【表５３】
2018141793.tif 000100
2018141793.tif 000101
【表５４】
2018141793.tif 000102
2018141793.tif 000103
【表５５】
2018141793.tif 000104
【表５６】
2018141793.tif 000105
【表５７】
2018141793.tif 000106
2018141793.tif 000107
2018141793.tif 000108
【表５８】
2018141793.tif 000109
【表５９】
2018141793.tif 000110
【表６０】
2018141793.tif 000111
【表６１】
2018141793.tif 000112
2018141793.tif 000113
2018141793.tif 000114
【表６２】
2018141793.tif 000115
【表６３】
2018141793.tif 000116
【表６４】
2018141793.tif 000117
【表６５】
2018141793.tif 000118
2018141793.tif 000119
2018141793.tif 000120
【表６６】
2018141793.tif 000121
【表６７】
2018141793.tif 000122
【表６８】
2018141793.tif 000123
【表６９】
2018141793.tif 000124
2018141793.tif 000125
2018141793.tif 000126
【表７０】
2018141793.tif 000127
【表７１】
2018141793.tif 000128
【表７２】
2018141793.tif 000129
【表７３】
2018141793.tif 000130
2018141793.tif 000131
2018141793.tif 000132
【表７４】
2018141793.tif 000133
【表７５】
2018141793.tif 000134
【表７６】
2018141793.tif 000135
【表７７】
2018141793.tif 000136
2018141793.tif 000137
2018141793.tif 000138
【表７８】
2018141793.tif 000139
【表７９】
2018141793.tif 000140
【表８０】
2018141793.tif 000141
【表８１】
2018141793.tif 000142
2018141793.tif 000143
2018141793.tif 000144
【表８２】
2018141793.tif 000145
【表８３】
2018141793.tif 000146
【表８４】
2018141793.tif 000147
【表８５】
2018141793.tif 000148
2018141793.tif 000149
【表８６】
2018141793.tif 000150
【表８７】
2018141793.tif 000151
【表８８】
2018141793.tif 000152
【表８９】
2018141793.tif 000153
2018141793.tif 000154
2018141793.tif 000155
【表９０】
2018141793.tif 000156
【表９１】
2018141793.tif 000157
【表９２】
2018141793.tif 000158
【表９３】
2018141793.tif 000159
2018141793.tif 000160
【０１６４】
表２：コホート１（ＲＩＦＬＥステージ０またはＲを超えて進行しなかった患者）から収集した尿試料、およびコホート２においてステージＩまたはＦに達する０、２４時間、および４８時間前の時点で対象から収集した尿試料におけるマーカーレベルの比較
【表９４】
2018141793.tif 000161
【表９５】
2018141793.tif 000162
【表９６】
2018141793.tif 000163
【表９７】
2018141793.tif 000164
2018141793.tif 000165
【表９８】
2018141793.tif 000166
【表９９】
2018141793.tif 000167
【表１００】
2018141793.tif 000168
【表１０１】
2018141793.tif 000169
2018141793.tif 000170
【表１０２】
2018141793.tif 000171
【表１０３】
2018141793.tif 000172
【表１０４】
2018141793.tif 000173
【表１０５】
2018141793.tif 000174
2018141793.tif 000175
【表１０６】
2018141793.tif 000176
【表１０７】
2018141793.tif 000177
【表１０８】
2018141793.tif 000178
【表１０９】
2018141793.tif 000179
2018141793.tif 000180
【表１１０】
2018141793.tif 000181
【表１１１】
2018141793.tif 000182
【表１１２】
2018141793.tif 000183
【表１１３】
2018141793.tif 000184
2018141793.tif 000185
【表１１４】
2018141793.tif 000186
【表１１５】
2018141793.tif 000187
【表１１６】
2018141793.tif 000188
2018141793.tif 000189
【表１１７】
2018141793.tif 000190
2018141793.tif 000191
【表１１８】
2018141793.tif 000192
【表１１９】
2018141793.tif 000193
【表１２０】
2018141793.tif 000194
【表１２１】
2018141793.tif 000195
2018141793.tif 000196
【表１２２】
2018141793.tif 000197
【表１２３】
2018141793.tif 000198
【表１２４】
2018141793.tif 000199
【表１２５】
2018141793.tif 000200
2018141793.tif 000201
【表１２６】
2018141793.tif 000202
【表１２７】
2018141793.tif 000203
【表１２８】
2018141793.tif 000204
【表１２９】
2018141793.tif 000205
2018141793.tif 000206
【表１３０】
2018141793.tif 000207
【表１３１】
2018141793.tif 000208
【表１３２】
2018141793.tif 000209
【表１３３】
2018141793.tif 000210
2018141793.tif 000211
【表１３４】
2018141793.tif 000212
【表１３５】
2018141793.tif 000213
【表１３６】
2018141793.tif 000214
【表１３７】
2018141793.tif 000215
2018141793.tif 000216
【表１３８】
2018141793.tif 000217
【表１３９】
2018141793.tif 000218
【表１４０】
2018141793.tif 000219
【表１４１】
2018141793.tif 000220
2018141793.tif 000221
【表１４２】
2018141793.tif 000222
【表１４３】
2018141793.tif 000223
【表１４４】
2018141793.tif 000224
【表１４５】
2018141793.tif 000225
2018141793.tif 000226
【表１４６】
2018141793.tif 000227
【表１４７】
2018141793.tif 000228
【表１４８】
2018141793.tif 000229
【表１４９】
2018141793.tif 000230
2018141793.tif 000231
【表１５０】
2018141793.tif 000232
【表１５１】
2018141793.tif 000233
【表１５２】
2018141793.tif 000234
【表１５３】
2018141793.tif 000235
2018141793.tif 000236
【表１５４】
2018141793.tif 000237
【表１５５】
2018141793.tif 000238
【表１５６】
2018141793.tif 000239
【表１５７】
2018141793.tif 000240
2018141793.tif 000241
【表１５８】
2018141793.tif 000242
【表１５９】
2018141793.tif 000243
【表１６０】
2018141793.tif 000244
【表１６１】
2018141793.tif 000245
2018141793.tif 000246
【表１６２】
2018141793.tif 000247
【表１６３】
2018141793.tif 000248
【表１６４】
2018141793.tif 000249
【表１６５】
2018141793.tif 000250
2018141793.tif 000251
【表１６６】
2018141793.tif 000252
【表１６７】
2018141793.tif 000253
【表１６８】
2018141793.tif 000254
【表１６９】
2018141793.tif 000255
2018141793.tif 000256
【表１７０】
2018141793.tif 000257
【表１７１】
2018141793.tif 000258
【表１７２】
2018141793.tif 000259
【表１７３】
2018141793.tif 000260
2018141793.tif 000261
【表１７４】
2018141793.tif 000262
【表１７５】
2018141793.tif 000263
【表１７６】
2018141793.tif 000264
【表１７７】
2018141793.tif 000265
2018141793.tif 000266
【表１７８】
2018141793.tif 000267
【表１７９】
2018141793.tif 000268
【表１８０】
2018141793.tif 000269
【表１８１】
2018141793.tif 000270
2018141793.tif 000271
【０１６５】
表３：コホート１（ＲＩＦＬＥステージＲに達したが、それを超えて進行しなかった患者）およびコホート２（ＲＩＦＬＥステージＩまたはＦに達した患者）からステージＲに達する１２時間以内に収集した尿試料におけるマーカーレベルの比較
【表１８２】
2018141793.tif 000272
【表１８３】
2018141793.tif 000273
2018141793.tif 000274
【表１８４】
2018141793.tif 000275
【表１８５】
2018141793.tif 000276
2018141793.tif 000277
【表１８６】
2018141793.tif 000278
【表１８７】
2018141793.tif 000279
2018141793.tif 000280
【表１８８】
2018141793.tif 000281
【表１８９】
2018141793.tif 000282
【表１９０】
2018141793.tif 000283
【表１９１】
2018141793.tif 000284
2018141793.tif 000285
【表１９２】
2018141793.tif 000286
【表１９３】
2018141793.tif 000287
2018141793.tif 000288
【表１９４】
2018141793.tif 000289
【表１９５】
2018141793.tif 000290
2018141793.tif 000291
【表１９６】
2018141793.tif 000292
【表１９７】
2018141793.tif 000293
【表１９８】
2018141793.tif 000294
【表１９９】
2018141793.tif 000295
2018141793.tif 000296
【０１６６】
表４：コホート１（ＲＩＦＬＥステージ０を超えて進行しなかった患者）から収集した尿試料における最大マーカーレベルならびに登録時からステージＦに達する０時間、２４時間、および４８時間前の時点でコホート２の対象から収集した尿試料における最大値の比較
【表２００】
2018141793.tif 000297
【表２０１】
2018141793.tif 000298
【表２０２】
2018141793.tif 000299
【表２０３】
2018141793.tif 000300
2018141793.tif 000301
【表２０４】
2018141793.tif 000302
【表２０５】
2018141793.tif 000303
【表２０６】
2018141793.tif 000304
【表２０７】
2018141793.tif 000305
2018141793.tif 000306
【表２０８】
2018141793.tif 000307
【表２０９】
2018141793.tif 000308
【表２１０】
2018141793.tif 000309
【表２１１】
2018141793.tif 000310
2018141793.tif 000311
【表２１２】
2018141793.tif 000312
【表２１３】
2018141793.tif 000313
【表２１４】
2018141793.tif 000314
【表２１５】
2018141793.tif 000315
2018141793.tif 000316
【表２１６】
2018141793.tif 000317
【表２１７】
2018141793.tif 000318
【表２１８】
2018141793.tif 000319
【表２１９】
2018141793.tif 000320
2018141793.tif 000321
【表２２０】
2018141793.tif 000322
【表２２１】
2018141793.tif 000323
【表２２２】
2018141793.tif 000324
【表２２３】
2018141793.tif 000325
2018141793.tif 000326
【表２２４】
2018141793.tif 000327
【表２２５】
2018141793.tif 000328
【表２２６】
2018141793.tif 000329
【表２２７】
2018141793.tif 000330
2018141793.tif 000331
【表２２８】
2018141793.tif 000332
【表２２９】
2018141793.tif 000333
【表２３０】
2018141793.tif 000334
【表２３１】
2018141793.tif 000335
2018141793.tif 000336
【表２３２】
2018141793.tif 000337
【表２３３】
2018141793.tif 000338
【表２３４】
2018141793.tif 000339
【表２３５】
2018141793.tif 000340
2018141793.tif 000341
【表２３６】
2018141793.tif 000342
【表２３７】
2018141793.tif 000343
【表２３８】
2018141793.tif 000344
【表２３９】
2018141793.tif 000345
2018141793.tif 000346
【表２４０】
2018141793.tif 000347
【表２４１】
2018141793.tif 000348
【表２４２】
2018141793.tif 000349
【表２４３】
2018141793.tif 000350
2018141793.tif 000351
【表２４４】
2018141793.tif 000352
【表２４５】
2018141793.tif 000353
【表２４６】
2018141793.tif 000354
【表２４７】
2018141793.tif 000355
2018141793.tif 000356
【表２４８】
2018141793.tif 000357
【表２４９】
2018141793.tif 000358
【表２５０】
2018141793.tif 000359
【表２５１】
2018141793.tif 000360
2018141793.tif 000361
【表２５２】
2018141793.tif 000362
【表２５３】
2018141793.tif 000363
【表２５４】
2018141793.tif 000364
【表２５５】
2018141793.tif 000365
2018141793.tif 000366
【表２５６】
2018141793.tif 000367
【表２５７】
2018141793.tif 000368
【表２５８】
2018141793.tif 000369
【表２５９】
2018141793.tif 000370
2018141793.tif 000371
【表２６０】
2018141793.tif 000372
【表２６１】
2018141793.tif 000373
【表２６２】
2018141793.tif 000374
【表２６３】
2018141793.tif 000375
2018141793.tif 000376
【表２６４】
2018141793.tif 000377
【表２６５】
2018141793.tif 000378
【表２６６】
2018141793.tif 000379
【表２６７】
2018141793.tif 000380
2018141793.tif 000381
【表２６８】
2018141793.tif 000382
【表２６９】
2018141793.tif 000383
【表２７０】
2018141793.tif 000384
【表２７１】
2018141793.tif 000385
2018141793.tif 000386
【表２７２】
2018141793.tif 000387
【表２７３】
2018141793.tif 000388
【表２７４】
2018141793.tif 000389
【表２７５】
2018141793.tif 000390
2018141793.tif 000391
【表２７６】
2018141793.tif 000392
【表２７７】
2018141793.tif 000393
【表２７８】
2018141793.tif 000394
【表２７９】
2018141793.tif 000395
2018141793.tif 000396
【０１６７】
表５：コホート１（ＲＩＦＬＥステージ０を超えて進行しなかった患者）から収集したＥＤＴＡ試料ならびにステージＲ、ＩまたはＦに達する０時間、２４時間、および４８時間前の時点でコホート２の対象から収集したＥＤＴＡ試料におけるマーカーレベルの比較
【表２８０】
2018141793.tif 000397
【表２８１】
2018141793.tif 000398
【表２８２】
2018141793.tif 000399
【表２８３】
2018141793.tif 000400
2018141793.tif 000401
【表２８４】
2018141793.tif 000402
【表２８５】
2018141793.tif 000403
【表２８６】
2018141793.tif 000404
【表２８７】
2018141793.tif 000405
2018141793.tif 000406
【表２８８】
2018141793.tif 000407
【表２８９】
2018141793.tif 000408
【表２９０】
2018141793.tif 000409
【表２９１】
2018141793.tif 000410
2018141793.tif 000411
【表２９２】
2018141793.tif 000412
【表２９３】
2018141793.tif 000413
【表２９４】
2018141793.tif 000414
【表２９５】
2018141793.tif 000415
2018141793.tif 000416
【表２９６】
2018141793.tif 000417
【表２９７】
2018141793.tif 000418
【表２９８】
2018141793.tif 000419
【表２９９】
2018141793.tif 000420
2018141793.tif 000421
【表３００】
2018141793.tif 000422
【表３０１】
2018141793.tif 000423
【表３０２】
2018141793.tif 000424
【表３０３】
2018141793.tif 000425
2018141793.tif 000426
【表３０４】
2018141793.tif 000427
【表３０５】
2018141793.tif 000428
【表３０６】
2018141793.tif 000429
【表３０７】
2018141793.tif 000430
2018141793.tif 000431
【表３０８】
2018141793.tif 000432
【表３０９】
2018141793.tif 000433
【表３１０】
2018141793.tif 000434
【表３１１】
2018141793.tif 000435
2018141793.tif 000436
【表３１２】
2018141793.tif 000437
【表３１３】
2018141793.tif 000438
【表３１４】
2018141793.tif 000439
【表３１５】
2018141793.tif 000440
2018141793.tif 000441
【表３１６】
2018141793.tif 000442
【表３１７】
2018141793.tif 000443
【表３１８】
2018141793.tif 000444
【表３１９】
2018141793.tif 000445
2018141793.tif 000446
【表３２０】
2018141793.tif 000447
【表３２１】
2018141793.tif 000448
【表３２２】
2018141793.tif 000449
【表３２３】
2018141793.tif 000450
2018141793.tif 000451
【表３２４】
2018141793.tif 000452
【表３２５】
2018141793.tif 000453
【表３２６】
2018141793.tif 000454
【表３２７】
2018141793.tif 000455
2018141793.tif 000456
【表３２８】
2018141793.tif 000457
【表３２９】
2018141793.tif 000458
【表３３０】
2018141793.tif 000459
【表３３１】
2018141793.tif 000460
2018141793.tif 000461
【表３３２】
2018141793.tif 000462
【表３３３】
2018141793.tif 000463
【表３３４】
2018141793.tif 000464
【表３３５】
2018141793.tif 000465
2018141793.tif 000466
【表３３６】
2018141793.tif 000467
【表３３７】
2018141793.tif 000468
【表３３８】
2018141793.tif 000469
【表３３９】
2018141793.tif 000470
2018141793.tif 000471
【表３４０】
2018141793.tif 000472
【表３４１】
2018141793.tif 000473
【表３４２】
2018141793.tif 000474
【表３４３】
2018141793.tif 000475
2018141793.tif 000476
【表３４４】
2018141793.tif 000477
【表３４５】
2018141793.tif 000478
【表３４６】
2018141793.tif 000479
【表３４７】
2018141793.tif 000480
2018141793.tif 000481
【表３４８】
2018141793.tif 000482
【表３４９】
2018141793.tif 000483
【表３５０】
2018141793.tif 000484
【表３５１】
2018141793.tif 000485
2018141793.tif 000486
【表３５２】
2018141793.tif 000487
【表３５３】
2018141793.tif 000488
【表３５４】
2018141793.tif 000489
【表３５５】
2018141793.tif 000490
2018141793.tif 000491
【表３５６】
2018141793.tif 000492
【表３５７】
2018141793.tif 000493
【表３５８】
2018141793.tif 000494
【表３５９】
2018141793.tif 000495
2018141793.tif 000496
【表３６０】
2018141793.tif 000497
【表３６１】
2018141793.tif 000498
【表３６２】
2018141793.tif 000499
【表３６３】
2018141793.tif 000500
2018141793.tif 000501
【表３６４】
2018141793.tif 000502
【表３６５】
2018141793.tif 000503
【表３６６】
2018141793.tif 000504
【表３６７】
2018141793.tif 000505
2018141793.tif 000506
【表３６８】
2018141793.tif 000507
【表３６９】
2018141793.tif 000508
【表３７０】
2018141793.tif 000509
【表３７１】
2018141793.tif 000510
2018141793.tif 000511
【０１６８】
表６：コホート１（ＲＩＦＬＥステージ０またはＲを超えて進行しなかった患者）から収集したＥＤＴＡ試料ならびにステージＩまたはＦに達する０時間、２４時間、および４８時間前の時点でコホート２の対象から収集したＥＤＴＡ試料におけるマーカーレベルの比較
【表３７２】
2018141793.tif 000512
【表３７３】
2018141793.tif 000513
【表３７４】
2018141793.tif 000514
2018141793.tif 000515
【表３７５】
2018141793.tif 000516
【表３７６】
2018141793.tif 000517
【表３７７】
2018141793.tif 000518
【表３７８】
2018141793.tif 000519
2018141793.tif 000520
【表３７９】
2018141793.tif 000521
【表３８０】
2018141793.tif 000522
【表３８１】
2018141793.tif 000523
2018141793.tif 000524
【表３８２】
2018141793.tif 000525
【表３８３】
2018141793.tif 000526
【表３８４】
2018141793.tif 000527
2018141793.tif 000528
【表３８５】
2018141793.tif 000529
【表３８６】
2018141793.tif 000530
【表３８７】
2018141793.tif 000531
2018141793.tif 000532
【表３８８】
2018141793.tif 000533
【表３８９】
2018141793.tif 000534
【表３９０】
2018141793.tif 000535
【表３９１】
2018141793.tif 000536
2018141793.tif 000537
【表３９２】
2018141793.tif 000538
【表３９３】
2018141793.tif 000539
【表３９４】
2018141793.tif 000540
2018141793.tif 000541
【表３９５】
2018141793.tif 000542
【表３９６】
2018141793.tif 000543
【表３９７】
2018141793.tif 000544
2018141793.tif 000545
【表３９８】
2018141793.tif 000546
【表３９９】
2018141793.tif 000547
【表４００】
2018141793.tif 000548
2018141793.tif 000549
【表４０１】
2018141793.tif 000550
【表４０２】
2018141793.tif 000551
【表４０３】
2018141793.tif 000552
2018141793.tif 000553
【表４０４】
2018141793.tif 000554
【表４０５】
2018141793.tif 000555
【表４０６】
2018141793.tif 000556
2018141793.tif 000557
【表４０７】
2018141793.tif 000558
【表４０８】
2018141793.tif 000559
【表４０９】
2018141793.tif 000560
【表４１０】
2018141793.tif 000561
2018141793.tif 000562
【表４１１】
2018141793.tif 000563
【表４１２】
2018141793.tif 000564
【表４１３】
2018141793.tif 000565
2018141793.tif 000566
【表４１４】
2018141793.tif 000567
【表４１５】
2018141793.tif 000568
【表４１６】
2018141793.tif 000569
2018141793.tif 000570
【表４１７】
2018141793.tif 000571
【表４１８】
2018141793.tif 000572
【表４１９】
2018141793.tif 000573
【表４２０】
2018141793.tif 000574
2018141793.tif 000575
【表４２１】
2018141793.tif 000576
【表４２２】
2018141793.tif 000577
【表４２３】
2018141793.tif 000578
2018141793.tif 000579
【表４２４】
2018141793.tif 000580
【表４２５】
2018141793.tif 000581
【表４２６】
2018141793.tif 000582
2018141793.tif 000583
【表４２７】
2018141793.tif 000584
【表４２８】
2018141793.tif 000585
【表４２９】
2018141793.tif 000586
2018141793.tif 000587
【表４３０】
2018141793.tif 000588
【表４３１】
2018141793.tif 000589
【表４３２】
2018141793.tif 000590
2018141793.tif 000591
【表４３３】
2018141793.tif 000592
【表４３４】
2018141793.tif 000593
【表４３５】
2018141793.tif 000594
【表４３６】
2018141793.tif 000595
2018141793.tif 000596
【表４３７】
2018141793.tif 000597
【表４３８】
2018141793.tif 000598
【表４３９】
2018141793.tif 000599
【表４４０】
2018141793.tif 000600
2018141793.tif 000601
【表４４１】
2018141793.tif 000602
【表４４２】
2018141793.tif 000603
【表４４３】
2018141793.tif 000604
【表４４４】
2018141793.tif 000605
2018141793.tif 000606
【０１６９】
表７：コホート１（ＲＩＦＬＥステージＲに達したが、それを超えて進行しなかった患者）およびコホート２（ＲＩＦＬＥステージＩまたはＦに達した患者）からステージＲに達する１２時間以内に収集したＥＤＴＡ試料におけるマーカーレベルの比較
【表４４５】
2018141793.tif 000607
【表４４６】
2018141793.tif 000608
【表４４７】
2018141793.tif 000609
【表４４８】
2018141793.tif 000610
2018141793.tif 000611
【表４４９】
2018141793.tif 000612
【表４５０】
2018141793.tif 000613
2018141793.tif 000614
【表４５１】
2018141793.tif 000615
【表４５２】
2018141793.tif 000616
2018141793.tif 000617
【表４５３】
2018141793.tif 000618
【表４５４】
2018141793.tif 000619
【表４５５】
2018141793.tif 000620
2018141793.tif 000621
【表４５６】
2018141793.tif 000622
【表４５７】
2018141793.tif 000623
【表４５８】
2018141793.tif 000624
2018141793.tif 000625
【０１７０】
表８：コホート１（ＲＩＦＬＥステージ０を超えて進行しなかった患者）から収集したＥＤＴＡ試料における最大マーカーレベルならびに登録時からステージＦに達する０時間、２４時間、および４８時間前の時点でコホート２の対象から収集したＥＤＴＡ試料における最大値の比較
【表４５９】
2018141793.tif 000626
【表４６０】
2018141793.tif 000627
2018141793.tif 000628
【表４６１】
2018141793.tif 000629
【表４６２】
2018141793.tif 000630
【表４６３】
2018141793.tif 000631
【表４６４】
2018141793.tif 000632
2018141793.tif 000633
【表４６５】
2018141793.tif 000634
【表４６６】
2018141793.tif 000635
【表４６７】
2018141793.tif 000636
2018141793.tif 000637
【表４６８】
2018141793.tif 000638
【表４６９】
2018141793.tif 000639
【表４７０】
2018141793.tif 000640
【表４７１】
2018141793.tif 000641
2018141793.tif 000642
【表４７２】
2018141793.tif 000643
【表４７３】
2018141793.tif 000644
【表４７４】
2018141793.tif 000645
【表４７５】
2018141793.tif 000646
2018141793.tif 000647
【表４７６】
2018141793.tif 000648
【表４７７】
2018141793.tif 000649
2018141793.tif 000650
【表４７８】
2018141793.tif 000651
【表４７９】
2018141793.tif 000652
2018141793.tif 000653
【表４８０】
2018141793.tif 000654
【表４８１】
2018141793.tif 000655
2018141793.tif 000656
【表４８２】
2018141793.tif 000657
【表４８３】
2018141793.tif 000658
2018141793.tif 000659
【表４８４】
2018141793.tif 000660
【表４８５】
2018141793.tif 000661
【表４８６】
2018141793.tif 000662
【表４８７】
2018141793.tif 000663
2018141793.tif 000664
【表４８８】
2018141793.tif 000665
【表４８９】
2018141793.tif 000666
【表４９０】
2018141793.tif 000667
2018141793.tif 000668
【表４９１】
2018141793.tif 000669
【表４９２】
2018141793.tif 000670
【表４９３】
2018141793.tif 000671
2018141793.tif 000672
【表４９４】
2018141793.tif 000673
【表４９５】
2018141793.tif 000674
【表４９６】
2018141793.tif 000675
2018141793.tif 000676
【表４９７】
2018141793.tif 000677
【表４９８】
2018141793.tif 000678
【表４９９】
2018141793.tif 000679
2018141793.tif 000680
【表５００】
2018141793.tif 000681
【表５０１】
2018141793.tif 000682
【表５０２】
2018141793.tif 000683
【表５０３】
2018141793.tif 000684
2018141793.tif 000685
【表５０４】
2018141793.tif 000686
【表５０５】
2018141793.tif 000687
【表５０６】
2018141793.tif 000688
2018141793.tif 000689
【表５０７】
2018141793.tif 000690
【表５０８】
2018141793.tif 000691
【表５０９】
2018141793.tif 000692
2018141793.tif 000693
【表５１０】
2018141793.tif 000694
【表５１１】
2018141793.tif 000695
2018141793.tif 000696
【表５１２】
2018141793.tif 000697
【表５１３】
2018141793.tif 000698
【表５１４】
2018141793.tif 000699
2018141793.tif 000700
2018141793.tif 000701
【表５１５】
2018141793.tif 000702
【表５１６】
2018141793.tif 000703
【表５１７】
2018141793.tif 000704
【表５１８】
2018141793.tif 000705
2018141793.tif 000706
【表５１９】
2018141793.tif 000707
2018141793.tif 000708
【表５２０】
2018141793.tif 000709
【表５２１】
2018141793.tif 000710
2018141793.tif 000711
【表５２２】
2018141793.tif 000712
2018141793.tif 000713
【表５２３】
2018141793.tif 000714
【表５２４】
2018141793.tif 000715
【表５２５】
2018141793.tif 000716
【表５２６】
2018141793.tif 000717
2018141793.tif 000718
【０１７１】
表９：コホート１（ＲＩＦＬＥステージ０、Ｒ、またはＩを超えて進行しなかった患者）から収集した尿試料ならびに対象がＲＩＦＬＥステージＩに達する０時間、２４時間、および４８時間前の時点でコホート２（ＲＩＦＬＥステージＦに進行する対象）から収集した尿試料におけるマーカーレベルの比較
【表５２７】
2018141793.tif 000719
【表５２８】
2018141793.tif 000720
【表５２９】
2018141793.tif 000721
【表５３０】
2018141793.tif 000722
2018141793.tif 000723
【表５３１】
2018141793.tif 000724
【表５３２】
2018141793.tif 000725
【表５３３】
2018141793.tif 000726
【表５３４】
2018141793.tif 000727
2018141793.tif 000728
【表５３５】
2018141793.tif 000729
【表５３６】
2018141793.tif 000730
【表５３７】
2018141793.tif 000731
【表５３８】
2018141793.tif 000732
2018141793.tif 000733
【表５３９】
2018141793.tif 000734
【表５４０】
2018141793.tif 000735
【表５４１】
2018141793.tif 000736
【表５４２】
2018141793.tif 000737
2018141793.tif 000738
【表５４３】
2018141793.tif 000739
【表５４４】
2018141793.tif 000740
【表５４５】
2018141793.tif 000741
【表５４６】
2018141793.tif 000742
2018141793.tif 000743
【表５４７】
2018141793.tif 000744
【表５４８】
2018141793.tif 000745
【表５４９】
2018141793.tif 000746
2018141793.tif 000747
【表５５０】
2018141793.tif 000748
【表５５１】
2018141793.tif 000749
【表５５２】
2018141793.tif 000750
2018141793.tif 000751
【表５５３】
2018141793.tif 000752
2018141793.tif 000753
【表５５４】
2018141793.tif 000754
【表５５５】
2018141793.tif 000755
【表５５６】
2018141793.tif 000756
2018141793.tif 000757
【表５５７】
2018141793.tif 000758
【表５５８】
2018141793.tif 000759
【表５５９】
2018141793.tif 000760
【表５６０】
2018141793.tif 000761
2018141793.tif 000762
【表５６１】
2018141793.tif 000763
【表５６２】
2018141793.tif 000764
【表５６３】
2018141793.tif 000765
【表５６４】
2018141793.tif 000766
2018141793.tif 000767
【表５６５】
2018141793.tif 000768
【表５６６】
2018141793.tif 000769
【表５６７】
2018141793.tif 000770
【表５６８】
2018141793.tif 000771
2018141793.tif 000772
【表５６９】
2018141793.tif 000773
【表５７０】
2018141793.tif 000774
【表５７１】
2018141793.tif 000775
【表５７２】
2018141793.tif 000776
2018141793.tif 000777
【表５７３】
2018141793.tif 000778
【表５７４】
2018141793.tif 000779
【表５７５】
2018141793.tif 000780
【表５７６】
2018141793.tif 000781
2018141793.tif 000782
【表５７７】
2018141793.tif 000783
【表５７８】
2018141793.tif 000784
【表５７９】
2018141793.tif 000785
【表５８０】
2018141793.tif 000786
2018141793.tif 000787
【表５８１】
2018141793.tif 000788
【表５８２】
2018141793.tif 000789
【表５８３】
2018141793.tif 000790
【表５８４】
2018141793.tif 000791
2018141793.tif 000792
【表５８５】
2018141793.tif 000793
【表５８６】
2018141793.tif 000794
【表５８７】
2018141793.tif 000795
【表５８８】
2018141793.tif 000796
2018141793.tif 000797
【表５８９】
2018141793.tif 000798
【表５９０】
2018141793.tif 000799
【表５９１】
2018141793.tif 000800
【表５９２】
2018141793.tif 000801
2018141793.tif 000802
【表５９３】
2018141793.tif 000803
【表５９４】
2018141793.tif 000804
【表５９５】
2018141793.tif 000805
【表５９６】
2018141793.tif 000806
2018141793.tif 000807
【表５９７】
2018141793.tif 000808
【表５９８】
2018141793.tif 000809
【表５９９】
2018141793.tif 000810
【表６００】
2018141793.tif 000811
2018141793.tif 000812
【０１７２】
表１０：コホート１（ＲＩＦＬＥステージ０、Ｒ、またはＩを超えて進行しなかった患者）から収集したＥＤＴＡ試料ならびに対象がＲＩＦＬＥステージＩに達する０時間、２４時間、および４８時間前の時点でコホート２（ＲＩＦＬＥステージＦに進行する対象）から収集したＥＤＴＡ試料におけるマーカーレベルの比較
【表６０１】
2018141793.tif 000813
【表６０２】
2018141793.tif 000814
2018141793.tif 000815
【表６０３】
2018141793.tif 000816
【表６０４】
2018141793.tif 000817
【表６０５】
2018141793.tif 000818
2018141793.tif 000819
【表６０６】
2018141793.tif 000820
【表６０７】
2018141793.tif 000821
2018141793.tif 000822
【表６０８】
2018141793.tif 000823
【表６０９】
2018141793.tif 000824
【表６１０】
2018141793.tif 000825
2018141793.tif 000826
【表６１１】
2018141793.tif 000827
【表６１２】
2018141793.tif 000828
2018141793.tif 000829
2018141793.tif 000830
【表６１３】
2018141793.tif 000831
【表６１４】
2018141793.tif 000832
2018141793.tif 000833
【表６１５】
2018141793.tif 000834
【表６１６】
2018141793.tif 000835
2018141793.tif 000836
【表６１７】
2018141793.tif 000837
【表６１８】
2018141793.tif 000838
2018141793.tif 000839
【表６１９】
2018141793.tif 000840
【表６２０】
2018141793.tif 000841
2018141793.tif 000842
【表６２１】
2018141793.tif 000843
【表６２２】
2018141793.tif 000844
【表６２３】
2018141793.tif 000845
2018141793.tif 000846
【表６２４】
2018141793.tif 000847
【表６２５】
2018141793.tif 000848
【表６２６】
2018141793.tif 000849
2018141793.tif 000850
2018141793.tif 000851
【表６２７】
2018141793.tif 000852
【表６２８】
2018141793.tif 000853
【表６２９】
2018141793.tif 000854
2018141793.tif 000855
【０１７３】
表１１：コホート１（４８時間以内にＲＩＦＬＥステージ０またはＲを超えて進行しなかった患者）から収集した登録（ｅｎｒｏｌｌ）尿試料およびコホート２（４８時間以内にＲＩＦＬＥステージＩまたはＦに達する対象）から収集した登録尿試料におけるマーカーレベルの比較（すでにＲＩＦＬＥステージＩまたはＦにいる患者の登録試料は、コホート２に含めた）
【表６３０】
2018141793.tif 000856
【表６３１】
2018141793.tif 000857
2018141793.tif 000858
【表６３２】
2018141793.tif 000859
【表６３３】
2018141793.tif 000860
【表６３４】
2018141793.tif 000861
【表６３５】
2018141793.tif 000862
2018141793.tif 000863
【表６３６】
2018141793.tif 000864
【表６３７】
2018141793.tif 000865
2018141793.tif 000866
【表６３８】
2018141793.tif 000867
【表６３９】
2018141793.tif 000868
【表６４０】
2018141793.tif 000869
【表６４１】
2018141793.tif 000870
2018141793.tif 000871
【表６４２】
2018141793.tif 000872
【表６４３】
2018141793.tif 000873
2018141793.tif 000874
【表６４４】
2018141793.tif 000875
【表６４５】
2018141793.tif 000876
【表６４６】
2018141793.tif 000877
【表６４７】
2018141793.tif 000878
2018141793.tif 000879
【表６４８】
2018141793.tif 000880
【表６４９】
2018141793.tif 000881
2018141793.tif 000882
【表６５０】
2018141793.tif 000883
【表６５１】
2018141793.tif 000884
2018141793.tif 000885
【表６５２】
2018141793.tif 000886
【表６５３】
2018141793.tif 000887
2018141793.tif 000888
【表６５４】
2018141793.tif 000889
【表６５５】
2018141793.tif 000890
【表６５６】
2018141793.tif 000891
【表６５７】
2018141793.tif 000892
2018141793.tif 000893
【０１７４】
表１２：コホート１（４８時間以内にＲＩＦＬＥステージ０またはＲを超えて進行しなかった患者）から収集した登録（ｅｎｒｏｌｌ）ＥＤＴＡ試料およびコホート２（４８時間以内にＲＩＦＬＥステージＩまたはＦに達する対象）から収集した登録ＥＤＴＡ試料におけるマーカーレベルの比較（すでにＲＩＦＬＥステージＩまたはＦにいる患者の登録試料は、コホート２に含めた）
【表６５８】
2018141793.tif 000894
【表６５９】
2018141793.tif 000895
2018141793.tif 000896
【表６６０】
2018141793.tif 000897
【表６６１】
2018141793.tif 000898
【表６６２】
2018141793.tif 000899
【表６６３】
2018141793.tif 000900
2018141793.tif 000901
【表６６４】
2018141793.tif 000902
【表６６５】
2018141793.tif 000903
2018141793.tif 000904
【表６６６】
2018141793.tif 000905
【表６６７】
2018141793.tif 000906
【表６６８】
2018141793.tif 000907
【表６６９】
2018141793.tif 000908
2018141793.tif 000909
【表６７０】
2018141793.tif 000910
【表６７１】
2018141793.tif 000911
2018141793.tif 000912
【表６７２】
2018141793.tif 000913
【表６７３】
2018141793.tif 000914
【表６７４】
2018141793.tif 000915
【表６７５】
2018141793.tif 000916
2018141793.tif 000917
【表６７６】
2018141793.tif 000918
【表６７７】
2018141793.tif 000919
2018141793.tif 000920
【表６７８】
2018141793.tif 000921
【表６７９】
2018141793.tif 000922
【表６８０】
2018141793.tif 000923
【表６８１】
2018141793.tif 000924
【０１７５】
当業者が本発明を行い、かつ使用するために、本発明を十分に詳細に記載し、実証したが、本発明の趣旨および範囲から逸脱することなく、様々な代替方法、変更、および改良が行われることは明らかである。本明細書に提供した実施例は、好ましい実施形態を代表するものであり、例示的であり、本発明の範囲に限定されるようには意図しない。当業者は、その中での変更および他の使用を行うであろう。これらの変更は、本発明の趣旨に包含され、特許請求の範囲で定義される。
【０１７６】
本発明の範囲および趣旨から逸脱することなく、本明細書で開示される本発明に対して、様々な代替および変更を行うことができることを当業者は容易に理解するであろう。
【０１７７】
本明細書に記述した全ての特許文献および刊行物は、本発明が関係する分野の技術者のレベルを示す。個々の刊行物が、参照により、明確に、単独に組込まれることを示したのと同じ程度に、全ての特許文献および刊行物は、参照により本明細書に組込まれる。
【０１７８】
本明細書に適切に、説明として記載した本発明は、本明細書に明確に開示されない任意の要素または複数の要素、制限または複数の制限がない状態で実行され得る。したがって、例えば、本明細書の各場合において、「含む」、「基本的に〜からなる」および「〜からなる」という用語のいずれも、他の２つの用語のいずれかと置き換えられ得る。使用された用語および表現は、説明の用語として、制限なく使用される。示され、記載される特徴の全ての同等物またはその一部を排除するそのような用語および表現の使用は意図しないが、本発明の特許請求の範囲の中で、様々な変更が可能であることは理解される。したがって、本発明は、好ましい実施形態および任意の特徴によって明確に開示されるが、当業者は、本明細書に開示される概念の変更および変化を行うことが可能であり、かかる変更および変化は、添付の特許請求の範囲によって定義されるように、本発明の範囲に入ると考えられることは理解されるべきである。
【０１７９】
他の実施形態を、以下の特許請求の範囲に記載する。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
対象における将来的な腎臓の状態の可能性を決定するための方法であって、
１つ以上のアッセイ結果を提供するために、対象由来の体液試料において、バイオマーカーとしてインボルクリンを検出するように構成された１つ以上のアッセイ法を行うこと、および
前記アッセイ結果（複数可）と前記対象の将来的な腎臓の状態とを相関させることを含み、ここで前記相関させることが、前記アッセイ結果として得られた測定濃度を閾値濃度と比較することにより、前記対象の腎臓の状態における将来的な変化の可能性を決定することを含み、
ここで前記腎臓の状態における将来的な変化が、将来的な急性腎不全（ＡＲＦ）を含み、前記腎臓の状態における将来的な変化の可能性が、前記体液試料を前記対象から取得する時点からおよそ２４時間以内に所望の事象が生じるということである、方法。
【請求項２】
前記相関させることが、
（ａ）前記アッセイで得られた測定濃度を閾値濃度と比較することにより、腎機能への損傷、腎機能の低下、もしくはＡＲＦの１つ以上の将来的な発生または不発生の可能性を前記対象に割り当てること、または、
（ｂ）前記アッセイ結果で得られた測定濃度を閾値濃度と比較することにより、腎機能への損傷、腎機能の低下、もしくはＡＲＦを患っている対象において腎機能が将来的に改善するか、または悪化するか否かを決定すること、または、
（ｃ）前記アッセイで得られた測定濃度を閾値濃度と比較することにより、２４時間以内に前記対象は、（ｉ）１．５倍以上の血清クレアチニンの増加を経験するか、（ｉｉ）尿排出量が６時間にわたって０．５ｍｌ／ｋｇ／時未満であるか、または（ｉｉｉ）０．３ｍｇ／ｄＬ以上の血清クレアチニンの増加を経験する、という可能性のうちの１つ以上を割り当てること、または、
（ｄ）前記アッセイで得られた測定濃度を閾値濃度と比較することにより、２４時間以内に前記対象は、（ｉ）２倍以上の血清クレアチニンの増加を経験するか、（ｉｉ）尿排出量が１２時間にわたって０．５ｍｌ／ｋｇ／時未満であるか、または（ｉｉｉ）０．３ｍｇ／ｄＬ以上の血清クレアチニンの増加を経験する、という可能性のうちの１つ以上を割り当てること、または、
（ｅ）前記アッセイで得られた測定濃度を閾値濃度と比較することにより、２４時間以内に前記対象は、（ｉ）３倍以上の血清クレアチニンの増加を経験するか、または（ｉｉ）尿排出量が２４時間にわたって０．３ｍｌ／ｋｇ／時未満であるか、もしくは１２時間にわたって無尿である、という可能性のうちの１つ以上を割り当てること、を含む、請求項１に記載の方法。
【請求項３】
前記アッセイ結果が、インボルクリンの測定尿中濃度もしくは血漿濃度を含む、請求項１または２に記載の方法。
【請求項４】
前記腎臓の状態における将来的な変化が、前記対象が患う腎損傷と関連する臨床予後を含む、請求項１に記載の方法。
【請求項５】
（ｉ）腎前性、腎内性、または腎後性のＡＲＦに対する１つ以上の既知のリスクファクターが前記対象において以前から存在すること、または、
（ｉｉ）鬱血性心不全、子癇前症、子癇、真性糖尿病、高血圧、冠動脈疾患、タンパク尿、腎不全、正常範囲を下回る糸球体濾過、肝硬変、正常範囲を上回る血清クレアチニン、敗血症、腎機能への損傷、腎機能の低下、もしくはＡＲＦのうちの１つ以上の現在の診断に基づいて、または大規模な血管手術、冠動脈バイパス、もしくは他の心臓手術を経験するもしくは経験したことに基づいて、またはＮＳＡＩＤ、シクロスポリン、タクロリムス、アミノグリコシド、フォスカネット、エチレングリコール、ヘモグロビン、ミオグロビン、イホスファミド、重金属、メトトレキサート、放射線造影剤、もしくはストレプトゾトシンへの曝露、に基づいて、将来的な腎臓の状態の可能性を決定するために前記対象が選択される、請求項１〜３のいずれか１項に記載の方法。
【請求項６】
前記腎臓の状態における将来的な変化が、前記体液試料を取得する時点から１２時間以内の将来的なＡＲＦを含む、請求項１〜３のいずれか１項に記載の方法。
【請求項７】
（Ａ）前記対象がＲＩＦＬＥステージ０またはＲにおり、
（ｉ）前記対象が任意にＲＩＦＬＥステージ０におり、かつ前記相関ステップが、２４時間以内に前記対象はＲＩＦＬＥステージＲ、ＩまたはＦに達するであろうという可能性を割り当てることを含むか、前記対象がＲＩＦＬＥステージ０におり、かつ前記相関ステップが、２４時間以内に前記対象はＲＩＦＬＥステージＩまたはＦに達するであろうという可能性を割り当てることを含むか、または前記対象が任意にＲＩＦＬＥステージ０におり、かつ前記相関ステップが、２４時間以内に前記対象はＲＩＦＬＥステージＦに達するであろうという可能性を割り当てることを含む、
（ｉｉ）前記対象が任意にＲＩＦＬＥステージ０またはＲにおり、かつ前記相関ステップが、２４時間以内に前記対象はＲＩＦＬＥステージＩまたはＦに達するであろうという可能性を割り当てることを含むか、前記対象が任意にＲＩＦＬＥステージ０またはＲにおり、かつ前記相関ステップが、２４時間以内に前記対象はＲＩＦＬＥステージＦに達するであろうという可能性を割り当てることを含む、
（ｉｉｉ）前記対象が任意にＲＩＦＬＥステージＲにおり、かつ前記相関ステップが、２４時間以内に前記対象はＲＩＦＬＥステージＩまたはＦに達するであろうという可能性を割り当てることを含むか、前記対象が任意にＲＩＦＬＥステージＲにおり、かつ前記相関ステップが、２４時間以内に前記対象はＲＩＦＬＥステージＦに達するであろうという可能性を割り当てることを含む、または、
（Ｂ）前記対象がＲＩＦＬＥステージ０、Ｒ、またはＩにおり、かつ前記相関ステップが、２４時間以内に前記対象はＲＩＦＬＥステージＦに達するであろうという可能性を割り当てることを含む、請求項１〜３のいずれか１項に記載の方法。
【請求項８】
前記対象が急性腎不全ではない、請求項１〜３のいずれか１項に記載の方法。
【請求項９】
前記対象が、前記体液試料が取得される時点の前に決定されるベースライン値から１．５倍以上の血清クレアチニンの増加を経験したことがない、請求項１〜３のいずれか１項に記載の方法。
【請求項１０】
前記対象の尿排出量が、前記体液試料が取得される時点に先立つ６時間にわたって、少なくとも０．５ｍｌ／ｋｇ／時である、請求項１〜３のいずれか１項に記載の方法。
【請求項１１】
前記対象が、前記体液試料が取得される時点の前に決定されるベースライン値から０．３ｍｇ／ｄＬ以上の血清クレアチニンの増加を経験したことがない、請求項１〜３のいずれか１項に記載の方法。
【請求項１２】
前記対象が、（ｉ）前記体液試料が取得される時点の前に決定されるベースライン値から１．５倍以上の血清クレアチニンの増加を経験したことがなく、（ｉｉ）尿排出量が、前記体液試料が取得される時点に先立つ６時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、請求項１〜３のいずれか１項に記載の方法。
【請求項１３】
前記対象が、（ｉ）前記体液試料が取得される時点の前に決定されるベースライン値から１．５倍以上の血清クレアチニンの増加を経験したことがなく、（ｉｉ）尿排出量が、前記体液試料が取得される時点に先立つ１２時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、請求項１〜３のいずれか１項に記載の方法。
【請求項１４】
前記対象が、前記体液試料が取得される時点の前に決定されるベースライン値から２倍以上の血清クレアチニンの増加を経験したことがない、請求項１〜３のいずれか１項に記載の方法。
【請求項１５】
前記対象の尿排出量が、前記体液試料が取得される時点に先立つ１２時間にわたって、少なくとも０．５ｍｌ／ｋｇ／時である、請求項１〜３のいずれか１項に記載の方法。
【請求項１６】
前記対象が、（ｉ）前記体液試料が取得される時点の前に決定されるベースライン値から２倍以上の血清クレアチニンの増加を経験したことがなく、（ｉｉ）尿排出量が、前記体液試料が取得される時点に先立つ１２時間にわたって、少なくとも０．５ｍｌ／ｋｇ／時であり、かつ（ｉｉｉ）前記体液試料が取得される時点の前に決定されるベースライン値から０．３ｍｇ／ｄＬ以上の血清クレアチニンの増加を経験したことがない、請求項１〜３のいずれか１項に記載の方法。
【請求項１７】
前記対象が、前記体液試料が取得される時点の前に決定されるベースライン値から３倍以上の血清クレアチニンの増加を経験したことがない、請求項１〜３のいずれか１項に記載の方法。
【請求項１８】
前記対象の尿排出量が、前記体液試料が取得される時点に先立つ２４時間にわたって少なくとも０．３ｍｌ／ｋｇ／時であるか、または前記体液試料が取得される時点に先立つ１２時間にわたって無尿である、請求項１〜３のいずれか１項に記載の方法。
【請求項１９】
前記対象が、（ｉ）前記体液試料が取得される時点の前に決定されるベースライン値から３倍以上の血清クレアチニンの増加を経験したことがなく、（ｉｉ）尿排出量が、前記体液試料が取得される時点に先立つ２４時間にわたって少なくとも０．３ｍｌ／ｋｇ／時であるか、または前記体液試料が取得される時点に先立つ１２時間にわたって無尿であり、かつ（ｉｉｉ）前記体液試料が取得される時点の前に決定されるベースライン値から０．３ｍｇ／ｄＬ以上の血清クレアチニンの増加を経験したことがない、請求項１〜３のいずれか１項に記載の方法。
【請求項２０】
前記体液試料が尿試料である、請求項１〜１９のいずれか１項に記載の方法。
【請求項２１】
対象における将来的な急性腎不全の評価のための、インボルクリンのバイオマーカーとしての使用。
【請求項２２】
対象における将来的な腎臓の状態を評価するために、腎損傷マーカーとしてインボルクリンを検出するように構成された１つ以上のアッセイを行うための試薬を含むキット。
【請求項２３】
（ａ）前記試薬が１つ以上の結合試薬を含み、その各々が前記腎損傷マーカーに特異的に結合し、任意の複数の結合試薬が単一アッセイ装置の中に含まれるか、
（ｂ）前記アッセイの少なくとも１つがサンドイッチ結合アッセイとして構成されるか、または、
（ｃ）前記アッセイの少なくとも１つが競合結合アッセイとして構成され、前記１つ以上のアッセイが、インボルクリンを検出するアッセイを含む、請求項２２に記載のキット。